(57)【特許請求の範囲】
【請求項１】
通信システムにおいて使用する通信デバイスであって、該通信システムにおいては、基地局が、或る領域内の該通信デバイスによって選択可能なセルを運用し、該領域においては、前記セルを運用している前記基地局に対する該通信デバイスによる接続の試行に失敗のリスクがあり、該通信デバイスは、
該通信デバイスが、前記セルを運用している前記基地局に対する該通信デバイスによる接続の試行に失敗のリスクがある前記領域内にあるときに、前記セルを選択する手段と、
前記領域内で、前記セルが選択されたときに、前記セルを運用する前記基地局との接続を開始することを試行する手段と、
前記接続を開始することのそれぞれの試行における連続した失敗を特定する手段と、
前記接続を開始することの前記それぞれの試行における連続した失敗が生じたことを特定する情報をロギングする手段と、
前記接続を開始することの前記それぞれの試行における連続した失敗が生じたことを、報告機会に報告する手段と、
を備え、
前記報告は、
報告機会に、接続中の基地局経由で接続を失敗した基地局に報告し、当該接続を失敗した基地局において接続失敗の原因に関する問題を特定するオプションＡ、または
報告機会に、接続中の基地局を経由して当該接続中の基地局及び接続を失敗した基地局に結合しているサーバーに報告し、当該サーバーにおいて接続失敗の原因に関する問題を特定した後前記接続を失敗した基地局に知らせるオプションＢ、もしくは
報告機会に、接続中の基地局と、当該接続中の基地局及び接続を失敗した基地局に結合しているサーバーとを経由して前記接続を失敗した基地局に報告し、当該接続を失敗した基地局において接続失敗の原因に関する問題を特定するオプションＣ、
を取り得る、通信システムにおいて使用する通信デバイス。
【請求項２】
前記接続を開始することのそれぞれの試行における連続した失敗が生じたことを特定する情報をロギングするように前記通信デバイスを構成するための構成データを基地局から受信する手段を更に備える、請求項１に記載の通信デバイス。
【請求項３】
前記受信する手段は、少なくとも１つのシグナリングメッセージを用いて前記構成データを受信するように動作可能である、請求項２に記載の通信デバイス。
【請求項４】
前記少なくとも１つのシグナリングメッセージは、少なくとも１つの「ＵＥ情報要求」メッセージを含む、請求項３に記載の通信デバイス。
【請求項５】
前記選択する手段は、前記特定する手段が、前記接続を開始することのそれぞれの試行における連続した失敗を特定すると、少なくとも１つの選択されたセルを、少なくとも１つの後続の（再）選択から禁止されるとみなすように動作可能である、請求項１〜４のいずれか１項に記載の通信デバイス。
【請求項６】
前記セルを運用している前記基地局に対する前記通信デバイスによる接続の試行に失敗のリスクがある前記領域は、前記基地局からのダウンリンク信号が、他の基地局からのダウンリンク信号よりも強力であるが、前記通信デバイスからのアップリンク信号の前記基地局による受信に成功することができない領域を含む、請求項１〜５のいずれか１項に記載の通信デバイス。
【請求項７】
通信システムにおいて使用する基地局であって、該通信システムにおいては、該基地局又は別の基地局が、或る領域内の通信デバイスによって選択可能なセルを運用し、該領域においては、前記セルを運用している該基地局に対する前記通信デバイスによる接続の試行に失敗のリスクがあり、該基地局は、
該基地局によって運用されているセルを介して通信デバイスとの接続を確立する手段と、
前記通信システムの該基地局又は別の基地局との接続を開始することのそれぞれの試行における連続した失敗が生じたことを特定する情報をロギングするように前記通信デバイスを構成するための情報を、前記確立された接続を用いて前記通信デバイスに送信する手段と、
前記接続を開始することの前記それぞれの試行における連続した失敗が生じたことを特定する前記情報を含む報告を前記通信デバイスから受信する手段と、
前記連続した失敗が生じたことを報告する手段と、
を備え、
前記報告は、
前記連続した失敗が生じたことを、接続を失敗した基地局に報告し、当該接続を失敗した基地局において接続失敗の原因に関する問題を特定するオプションＡ、または
前記連続した失敗が生じたことを、当該基地局及び接続を失敗した基地局に結合しているサーバーに報告し、当該サーバーにおいて接続失敗の原因に関する問題を特定した後前記接続を失敗した基地局に知らせるオプションＢ、もしくは
前記連続した失敗が生じたことを、当該基地局及び接続を失敗した基地局に結合しているサーバーを経由して前記接続を失敗した基地局に報告し、当該接続を失敗した基地局において接続失敗の原因に関する問題を特定するオプションＣ、
を取り得る、通信システムにおいて使用する基地局。
【請求項８】
前記受信する手段は、前記接続を開始することの前記それぞれの試行における連続した失敗が生じたことを特定する前記情報を、少なくとも１つのシグナリングメッセージを用いて受信するように動作可能である、請求項７に記載の基地局。
【請求項９】
前記少なくとも１つのシグナリングメッセージは、少なくとも１つの「ＵＥ情報応答」メッセージを含む、請求項８に記載の基地局。
【請求項１０】
前記少なくとも１つのシグナリングメッセージは少なくとも１つの情報要素（ＩＥ）を含む、請求項８又は９に記載の基地局。
【請求項１１】
前記少なくとも１つの情報要素は、連続した接続確立の失敗が生じたことを示す情報要素と、生じた連続した接続確立の失敗の数を示す情報要素と、ランダムアクセス応答の失敗が生じたことを示す情報要素と、のうちの少なくとも１つを含む、請求項１０に記載の基地局。
【請求項１２】
前記接続を開始することの前記それぞれの試行における連続した失敗が生じたことを特定する前記情報は、前記通信デバイスによって選択されたセルを特定する情報と、前記通信デバイスの地理的ロケーションを特定する情報と、前記接続を開始することの前記それぞれの試行における前記連続した失敗が生じた時点を特定する情報と、前記選択されたセルの信号強度を特定する情報と、少なくとも１つの近傍セルの信号強度を特定する情報と、ランダムアクセス応答が検出されたことを特定する情報と、のうちの少なくとも１つを特定する情報を含む、請求項７〜１１のいずれか１項に記載の基地局。
【請求項１３】
前記送信する手段は、無線リソース制御（ＲＲＣ）接続及び／又は媒体アクセス制御（ＭＡＣ）接続を確立することの試行において連続した失敗が生じたことを特定する情報をロギングするように前記通信デバイスを構成するための情報を前記通信デバイスに送信するように動作可能である、請求項７〜１２のいずれか１項に記載の基地局。
【請求項１４】
請求項１〜６のいずれか１項に記載の通信デバイスと、請求項７〜１３のいずれか１項に記載の基地局とを備える通信システム。
【請求項１５】
通信システムにおいて使用する通信デバイスであって、該通信システムにおいては、基地局が、或る領域内の該通信デバイスによって選択可能なセルを運用し、該領域においては、前記セルを運用している前記基地局に対する該通信デバイスによる接続の試行に失敗のリスクがあり、該通信デバイスはプロセッサ及び送受信機を備え、
前記プロセッサは、
該通信デバイスが、前記セルを運用している前記基地局に対する該通信デバイスによる接続の試行に失敗のリスクがある前記領域内にあるときに、前記セルを選択するように構成され、
前記送受信機は、
前記領域内で、前記セルが選択されたときに、前記セルを運用する前記基地局との接続を開始することを試行するように構成され、
また、前記プロセッサは、
前記接続を開始することのそれぞれの試行における連続した失敗を特定し、
前記接続を開始することの前記それぞれの試行における連続した失敗が生じたことを特定する情報をロギングするように構成され、
前記送受信機は、
前記接続を開始することの前記それぞれの試行における連続した失敗が生じたことを、報告機会に報告するように構成され、
前記報告は、
報告機会に、接続中の基地局経由で接続を失敗した基地局に報告し、当該接続を失敗した基地局において接続失敗の原因に関する問題を特定するオプションＡ、または
報告機会に、接続中の基地局を経由して当該接続中の基地局及び接続を失敗した基地局に結合しているサーバーに報告し、当該サーバーにおいて接続失敗の原因に関する問題を特定した後前記接続を失敗した基地局に知らせるオプションＢ、もしくは
報告機会に、接続中の基地局と、当該接続中の基地局及び接続を失敗した基地局に結合しているサーバーとを経由して前記接続を失敗した基地局に報告し、当該接続を失敗した基地局において接続失敗の原因に関する問題を特定するオプションＣ、
を取り得る、通信システムにおいて使用する通信デバイス。
【請求項１６】
通信システムにおいて使用する基地局であって、該通信システムにおいては、該基地局又は別の基地局が、或る領域内の通信デバイスによって選択可能なセルを運用し、該領域においては、前記セルを運用している該基地局に対する前記通信デバイスによる接続の試行に失敗のリスクがあり、該基地局は、
プロセッサと、
該基地局によって運用されているセルを介して通信デバイスとの接続を確立し、
前記通信システムの該基地局又は別の基地局との接続を開始することのそれぞれの試行における連続した失敗が生じたことを特定する情報をロギングするように前記通信デバイスを構成するための情報を、前記確立された接続を用いて前記通信デバイスに送信するように構成される送受信機と、
を備え、
前記送受信機は、
前記接続を開始することの前記それぞれの試行における連続した失敗が生じたことを特定する前記情報を含む報告を前記通信デバイスから受信し、
前記連続した失敗が生じたことを報告し、
前記報告は、
前記連続した失敗が生じたことを、接続を失敗した基地局に報告し、当該接続を失敗した基地局において接続失敗の原因に関する問題を特定するオプションＡ、または
前記連続した失敗が生じたことを、当該基地局及び接続を失敗した基地局に結合しているサーバーに報告し、当該サーバーにおいて接続失敗の原因に関する問題を特定した後前記接続を失敗した基地局に知らせるオプションＢ、もしくは
前記連続した失敗が生じたことを、当該基地局及び接続を失敗した基地局に結合しているサーバーを経由して前記接続を失敗した基地局に報告し、当該接続を失敗した基地局において接続失敗の原因に関する問題を特定するオプションＣ、
を取り得る、通信システムにおいて使用する基地局。
【請求項１７】
通信システムにおいて通信デバイスによって実行される方法であって、該通信システムにおいては、基地局が、或る領域内の前記通信デバイスによって選択可能なセルを運用し、該領域においては、前記セルを運用している前記基地局に対する前記通信デバイスによる接続の試行に失敗のリスクがあり、該方法は、
前記通信デバイスが、前記セルを運用している前記基地局に対する前記通信デバイスによる接続の試行に失敗のリスクがある前記領域内にあるときに、前記セルを選択することと、
前記領域内で、前記セルが選択されたときに、前記セルを運用する前記基地局との接続を開始することを試行することと、
前記接続を開始することのそれぞれの試行における連続した失敗を特定することと、
前記接続を開始することの前記それぞれの試行における連続した失敗が生じたことを特定する情報をロギングすることと、
前記接続を開始することの前記それぞれの試行における連続した失敗が生じたことを、報告機会に報告することと、
を含み、
前記報告は、
報告機会に、接続中の基地局経由で接続を失敗した基地局に報告し、当該接続を失敗した基地局において接続失敗の原因に関する問題を特定するオプションＡ、または
報告機会に、接続中の基地局を経由して当該接続中の基地局及び接続を失敗した基地局に結合しているサーバーに報告し、当該サーバーにおいて接続失敗の原因に関する問題を特定した後前記接続を失敗した基地局に知らせるオプションＢ、もしくは
報告機会に、接続中の基地局と、当該接続中の基地局及び接続を失敗した基地局に結合しているサーバーとを経由して前記接続を失敗した基地局に報告し、当該接続を失敗した基地局において接続失敗の原因に関する問題を特定するオプションＣ、
を取り得る、通信システムにおいて通信デバイスによって実行される方法。
【請求項１８】
請求項１７に記載の方法において、
当該方法は更に、
前記接続を開始することの試行における少なくとも１つの失敗が生じたことを特定することと、
前記接続を開始することの試行における前記少なくとも１つの失敗が生じたことが特定されると、前記通信デバイスが異なるセルを再選択することを認可するための制御データを受信することと、
前記制御データの受信、及び前記接続を開始することの試行における前記少なくとも１つの失敗の特定に応答して、異なるセルを再選択することと、
を含む、通信システムにおいて通信デバイスによって実行される方法。
【請求項１９】
通信システムにおいて基地局によって実行される方法であって、該通信システムにおいては、前記基地局又は別の基地局が、或る領域内の通信デバイスによって選択可能なセルを運用し、該領域においては、前記セルを運用している前記基地局に対する前記通信デバイスによる接続の試行に失敗のリスクがあり、該方法は、
前記基地局によって運用されているセルを介して通信デバイスとの接続を確立することと、
前記通信システムの前記基地局又は別の基地局との接続を開始することのそれぞれの試行における連続した失敗が生じたことを特定する情報をロギングするように前記通信デバイスを構成するための情報を、前記確立された接続を用いて前記通信デバイスに送信することと、
前記接続を開始することの前記それぞれの試行における連続した失敗が生じたことを特定する前記情報を含む報告を前記通信デバイスから受信することと、
前記連続した失敗が生じたことを報告することと、
を含み、
前記報告は、
前記連続した失敗が生じたことを、接続を失敗した基地局に報告し、当該接続を失敗した基地局において接続失敗の原因に関する問題を特定するオプションＡ、または
前記連続した失敗が生じたことを、当該基地局及び接続を失敗した基地局に結合しているサーバーに報告し、当該サーバーにおいて接続失敗の原因に関する問題を特定した後前記接続を失敗した基地局に知らせるオプションＢ、もしくは
前記連続した失敗が生じたことを、当該基地局及び接続を失敗した基地局に結合しているサーバーを経由して前記接続を失敗した基地局に報告し、当該接続を失敗した基地局において接続失敗の原因に関する問題を特定するオプションＣ、
を取り得る、通信システムにおいて基地局によって実行される方法。
【請求項２０】
請求項１９に記載の方法において、該方法は更に、
前記セルが、該セルが通信デバイスによって選択可能であり、かつ前記基地局に対するこの通信デバイスによる接続の試行に失敗のリスクがある領域をカバーするセルであることを特定する際に用いる情報を取得することと、
前記通信デバイスが、前記接続を開始することの試行における少なくとも１つの失敗が生じたことを特定すると、前記基地局への接続を開始することを試行する通信デバイスに、該通信デバイスが異なるセルを再選択することを認可する制御データを提供することと、
を含む、通信システムにおいて、或る領域内の複数の通信デバイスのうちの任意のものによって選択可能なセルを運用する基地局によって実行される方法。
【請求項２１】
プログラム可能な通信デバイスに、請求項１７又は１８に記載の方法を実行させるコンピューター実施可能命令を含むプログラム。
【請求項２２】
プログラム可能な通信デバイスに、請求項１９又は２０に記載の方法を実行させるコンピューター実施可能命令を含むプログラム。
【発明の詳細な説明】
【技術分野】
【０００１】
本発明は通信システムに関する。本発明は、限定するものではないが特に、関連する第３世代パートナーシッププロジェクト（３ＧＰＰ）規格文書において現在規定されているようなロングタームエボリューション（ＬＴＥ）システムにおける無線接続の確立に関する。
【背景技術】
【０００２】
ＬＴＥ規格に従って動作する通信システムは通常、発展型ユニバーサル陸上無線アクセスネットワーク（Ｅ−ＵＴＲＡＮ）及び発展型パケットコア（ＥＰＣ）ネットワークを含む。Ｅ−ＵＴＲＡＮの基地局（ｅＮＢ）は、移動電話等のユーザー機器（ＵＥ）に、基地局のセルのうちの１つ又は複数を介してコアネットワーク（このため、他のユーザー機器又は他のネットワークノード）へのアクセスを提供する。
【０００３】
移動電話と基地局との間の通信は、３ＧＰＰ  ＴＳ３６．３３１において規定されているような無線リソース制御（ＲＲＣ）プロトコルを用いて制御される。ＲＲＣは、移動電話と無線アクセスネットワークとの間のレイヤー３の制御プレーンシグナリングを扱い、中でも、システム情報のブロードキャスト、ページング、接続の確立及び解放、無線ベアラーの確立、再構成及び解放、モビリティプロシージャ、並びに電力制御のための機能を含む。
【０００４】
任意の所与の時点において、移動電話は、「ＲＲＣアイドルモード」（データ通信が行われない）又は「ＲＲＣ接続モード」（移動電話とそのサービング基地局との間でデータ通信を行うことができる）のいずれかで動作することができる。
【０００５】
ＲＲＣ接続モードで動作している移動電話は、通信システムによってカバーされるエリア内を動き回ると、信号条件と、要求されるサービス品質、用いられるサービスのタイプ、全体システム負荷等の他の要件とに依拠して、１つのセル（すなわち、基地局によって運用されている）から別のセル（同じ基地局又は異なる基地局によって運用されている）にハンドオーバーされる。移動電話を新たなセルにハンドオーバーするためのトリガーは、特定の移動電話によって実行されるセルの測定に基づくことができる。移動電話によって実行されるトリガーのタイプ及び関連する測定は、３ＧＰＰ  ＴＳ３６．３３１規格のセクション５．５．４において詳述されている。要約すると、そのようなトリガーは一般的に、移動電話のサービングセル（又は近傍セル）が、予め規定された閾値又は予め決定されたオフセット値のいずれかよりも良好になる（又は悪化する）事象に関係することができる。全体的なモビリティシーケンスの更なる詳細が、３ＧＰＰ  ＴＳ３６．３００規格のセクション１０．１．２に記載されている。３ＧＰＰ  ＴＳ３６．３００規格は、基地局による測定の構成及び後続のハンドオーバーのトリガリングについて記載している。
【０００６】
他方で、移動電話は、ＲＲＣアイドルモードにある間、キャンプオンするための良好な品質の信号を有する「サービング」セルを選択するようにプログラムされる。それによって、これらの移動電話に／から新たなデータが送信される場合、これらの移動電話は好ましい信号条件の利益を得ることができる。アイドル状態の移動電話が、例えば、この移動電話がロケーションを変えることに起因して、現在のサービングセルよりも良好な信号品質を有する新たなセルを検出する場合、この移動電話はいわゆるセル再選択手順（すなわち、アイドル状態のユーザー機器のための一種のハンドオーバー）を実行することができる。一方、アイドルモードの移動電話は、新たなセルが同じ「追跡エリア」（すなわち、セルの予め規定された組を含む、より大きな地理的エリア）内にある限り、ネットワークに選択されたこの新たなセルを通知しない。なぜなら、無線ネットワークは追跡エリア全体内でシステム情報及びＵＥ固有のページングメッセージを送信し、このため、キャンプオンしている現在のセルに関係なく移動電話への／からの通信を開始することを可能にしているためである。セル再選択手順の更なる詳細は、３ＧＰＰ  ＴＳ３６．３０４規格において開示されており、その内容は引用することにより本明細書の一部をなす。
【０００７】
最低エネルギー消費から利益を受け、貴重なシステムリソースを解放するために、移動電話は、可能であるときはいつでもＲＲＣアイドルモードに戻る。基地局は、自身のセル（複数の場合もある）内の移動電話ごとに様々な動作モード間の遷移を制御する。基地局と移動電話との間のＲＲＣ接続のセットアップ及び終了は、シグナリングメッセージの交換を必要とするため、貴重なシステムリソースを利用し、また完了するのに時間がかかるので、接続状態からアイドルモードへの遷移も、３ＧＰＰ  ＴＳ３６．３３１規格において規定されているような特定の状況下で許可される。３ＧＰＰ  ＴＳ３６．３３１規格の内容は引用することにより本明細書の一部をなす。例えば、サービング基地局は、特定の移動電話へ／から送信されるデータがこれ以上存在しない（例えば、アップリンクバッファー及びダウンリンクバッファーの双方が空である）ことを確認した後に初めて、移動電話にＲＲＣアイドルモードに入るように命令する場合がある。
【０００８】
アイドル状態の移動電話は、再び送信データを有するとき（又はアクティブな移動電話が最初に基地局のセルに入るとき）、通信リソースを配分されるために、適切にフォーマット設定されたＲＲＣ接続要求メッセージを基地局に送信することによって、いわゆるＲＲＣ接続確立手順を開始する。しかしながら、ＲＲＣメッセージ（又は任意の他のデータ）を通信する前に、移動電話は、より低次のレイヤー、特に媒体アクセス制御（ＭＡＣ）レイヤーが、この基地局との通信のためにセットアップされることを確保するために、基地局とのいわゆるランダムアクセス手順を実行する必要がある。
【０００９】
ランダムアクセス手順は、移動電話が基地局にランダムアクセスプリアンブル（所定のビットパターン）を送信することを含む。これによって、基地局及び移動電話の送受信機の同期が容易になる。基地局は、ランダムアクセス応答を送信することによってランダムアクセスプリアンブルに応答し、その後、基礎をなすＭＡＣレイヤーによって提供されたサービスを用いて、移動電話と基地局との間でスケジューリングされた送信、例えばＲＲＣシグリングを実行することができる。
【００１０】
基地局は、自身のカバレッジエリア内の全てのユーザー機器に利用可能な幾つかのタイムスロットのみを指定し、初期アクセス中にランダムアクセスプリアンブルを送信するためのＵＥ固有のタイムスロットを割り当てない（ただし、ハンドオーバー中は専用リソース配分が可能である）ので、２つ以上の移動電話が、同時にそれぞれのランダムアクセス手順を開始することを試みる場合がある。この結果、移動電話のうちの少なくとも１つが、手順の次のフェーズに進むことができない場合がある。一方、ランダムアクセス応答は、ランダムアクセスプリアンブルの送信に続く所与の期間内に基地局によって送信されることが予期されるので、移動電話においてそのような応答を受信するのに失敗すること（又は誤った応答を受信すること）は、複数のユーザー機器による同時通信を示すことができる。したがって、移動電話は、失敗した各試行の後に所定の時間が経過した後、ランダムアクセスプリアンブルを再送信するように構成される。許可される試行の数は制限されている場合があり、この所定の制限に達すると、例えば、ランダムアクセスプリアンブルの頻繁な再送信に起因した他の移動電話に対する不要な妨害を回避するために、ＭＡＣレイヤーをリセットすることができる。
【００１１】
ＭＡＣレイヤーに関係する通信（例えば、ランダムアクセス手順）及び／又はＭＡＣレイヤーの動作状態（例えば、リセットされているかどうか）は、ＲＲＣレイヤーに対しトランスペアレントであるので、ＲＲＣレイヤーは、基地局に送信するためにＭＡＣレイヤー上に渡されたＲＲＣ接続要求シグナリングメッセージに対する応答を一切受信しない原因を判断することができない。したがって、追加のフェールセーフメカニズムとして、ＲＲＣレイヤーは、基地局に所与の移動電話のためのＲＲＣ接続をセットアップすることを要求すると、タイマー（「Ｔ３００」と呼ばれる）を開始し、所定の期間後、例えば「Ｔ３００」タイマーの満了時にＲＲＣ接続失敗を判断する。ＲＲＣ接続失敗は、例えば、移動電話のディスプレイ上に適切なエラーメッセージを表示するために、高次のレイヤーにも示すことができる。失敗の場合、ＲＲＣレイヤーは、ＲＲＣ接続要求シグナリングメッセージを同じ基地局に（ＭＡＣレイヤーを介して）再送信することができ、これは、ＭＡＣレイヤーにおいて新たなランダムアクセス手順をトリガーすることになる。ＲＲＣレイヤーが同じセルとの接続の確立を試みることを許可される回数も制限することができる。この制限に達すると、移動電話は、このセルを介してＲＲＣ接続を確立することができない場合があるが、次にこの移動電話は、異なるセルを介してＲＲＣ接続を確立することを試みることができる。
【００１２】
要約すると、ＭＡＣレイヤー及びＲＲＣレイヤーの双方がフェールセーフメカニズムを実施して、初期通信が失敗した場合であっても基地局とのＲＲＣ接続をセットアップすることができることを確保する。一方、幾つかのシナリオでは、上記のメカニズムは適切でない場合があり、ＲＲＣ接続（このため任意のデータの通信）のセットアップは移動電話と基地局との間で可能でない場合がある。
【００１３】
１つの特定のシナリオでは、移動電話は、基地局からこの移動電話によって受信されたダウンリンク信号の測定された強度と、基地局がこの移動電話からのアップリンク信号を正しく受信する機能との間で地理的及び／又は環境的に生じた通信不均衡の結果としてセルを誤って選択する場合がある。このシナリオにおいて、例えば、移動電話は、移動電話のロケーションにおける最も強力な測定信号電力を有するセルを選択することができる。次に、移動電話は、選択されたセルを運用している基地局とのＲＲＣ接続を確立する（及び関連付けられたランダムアクセス手順を実行する）ことを試みる。一方、このシナリオでは、地理的及び／又は環境的に生じた不均衡の結果として、移動電話によって測定された特に強力なダウンリンク信号が、地理的／環境的要因（例えば、信号の大きな劣化を伴うことなく長距離にわたって電磁波を搬送する湖面）によって生じる基地局の信号の異例な伝搬に起因して生じた場合がある。他方で、例えば、移動電話が、完全な信号伝搬条件下であっても基地局に達するのに単に十分でない最大電力制限を有することに起因して、移動電話のアップリンク信号の同様な良好な伝搬を達成することができない場合がある。そしてこの結果、基地局が移動電話のランダムアクセスプリアンブル送信を全く受信することができないか、基地局が、基地局と移動電話との間の適切な同期を可能にするようにランダムアクセスプリアンブル送信を正しく受信することができない場合がある。このとき、移動電話は、予期されるランダムアクセス応答を受信しない。
【００１４】
したがって、そのような地理的／環境的に生じた通信不均衡の場合、移動電話が基地局とのＲＲＣ接続を確立することができない。代わりに、ＭＡＣレイヤーの観点から、ＭＡＣレイヤーにおける基地局と移動電話との間の正しい同期が全く達成されることなく、ＭＡＣレイヤーがリセットされるまでランダムアクセスプリアンブルが同じ基地局に繰り返し再送信され続ける場合がある。ＲＲＣレイヤーの観点から、選択されたセルを運用する基地局とのＲＲＣ接続を開始することを試みるとき、Ｔ３００タイマーが開始される。Ｔ３００タイマーの満了は、ＲＲＣ接続試行が失敗し、このため、同じセルについて同じ基地局との新たなＲＲＣ接続セットアップ手順が開始されることを示す（例えば、移動電話が固定のままであり及び／又は上記で説明した信号伝搬を引き起こす環境要因が同じままであることに起因して、セルが最も強力な信号を有することが測定／観測され続けると仮定する）。
【００１５】
上記の地理的／環境的に生じた通信不均衡の問題に対処することを試みるために検討される１つのオプションは、「ネットワーク展開」に基づく手法である。そのような手法では、まず、上記の接続失敗問題を被るセルが、ネットワーク事業者によって正しく特定されなくてはならない。そのようなセルが特定されると、影響を受けるエリア内で１つ又は複数の追加の基地局を展開することができ、それによって、追加の基地局によって運用されるセルを、上記で検討したような環境要因の影響を受けるセルに優先して選択することができる。そのような悪影響を受けるセルの特定は、事業者が専用試験機器を用いてネットワークを試験する（例えば、いわゆる「ドライブ試験」を実行する）ことによって達成することができる。したがって、そのような手法は、長期にわたって地理的／環境的に生じた通信不均衡の問題に有利に対処することができるが、短期から中期にわたって解決策を提供するには長期の場合ほど効果的でない場合がある。なぜなら、追加の基地局の展開は、追加のネットワーク機器、ネットワーク計画及び更なるドライブ試験における大きな投資を必要とし、必然的に実施に時間がかかるためである。さらに、そのような試験は通常高価であり、ドライブ試験に関連付けられた車両排出から生じる望ましくない環境影響を有する。
【００１６】
検討される別のオプションは、移動電話が接続失敗の問題を被る場合、例えば、同じセルにおいて二度目にＲＲＣ要求の許可される最大再送信数に達した場合、移動電話が独自にこの問題を解消しようと試みることができることである。例えば、移動電話は、最も強力な測定信号を有するセルと異なるセル（例えば、最も強力なセル信号と対照的に、オフセット値内の信号強度を有するセル）に対するセル再選択を自律的に、一時的に実行することができる。さらに、ネットワークは、例えばシステム情報の一部として適切なインジケーターをブロードキャストすることによって、そのような「自律的な」セル再選択が許可されるか否かを、そのネットワークのセル内の移動電話に示すこともできる。いずれの場合であっても、制限された期間後、移動電話は通常動作に戻り、その時点において最も強力な信号を有するセルを（例えば、更新された信号測定値に基づいて）選択する。一方、この解決策は、移動電話が被る接続失敗の問題に容易に対処することができない。なぜなら、新たに選択されたセルは、以前に結果として接続確立失敗が繰り返されたのと同じセルである場合があるためである。さらに、このオプションに従う場合、ネットワークは、移動電話が被る接続失敗（複数の場合もある）及び／又は選択されたセルが最も強力な信号を有するか否かに関する十分な情報を有さず、このため、ネットワーク事業者がそのような地理的／環境的に生じた通信不均衡の問題を特定し、この問題に対処することが可能でない。さらに、移動電話は、ＲＲＣ／ＭＡＣ通信が繰り返し失敗したことのみを判断することができるが、失敗が地理的／環境的要因又は他の要因、例えばセル輻輳によって生じたのか否かを判断することができない。したがって、このＵＥに基づく解決策は、失敗が輻輳に起因するときに大量のセル再選択につながり得る。そのような（場合によっては繰り返し生じる）大量のセル再選択は通信システムの負荷を加えるのみであるため、回避されるべきである。
【発明の概要】
【００１７】
したがって、本発明は、上記の問題のうちの１つ又は複数を克服するか又は少なくとも軽減する、改善された通信システム及び通信システムの改善されたコンポーネントを提供することを目的としている。
【００１８】
一態様では、本発明は、通信システムにおいて使用する通信デバイスであって、該通信システムにおいては、基地局が、或る領域内の該通信デバイスによって選択可能なセルを運用し、該領域においては、前記セルを運用している前記基地局に対する該通信デバイスによる接続の試行に失敗のリスクがあり、該通信デバイスは、
該通信デバイスが、前記セルを運用している前記基地局に対する該通信デバイスによる接続の試行に失敗のリスクがある前記領域内にあるときに、前記セルを選択する手段と、
前記領域内で、前記セルが選択されたときに、前記セルを運用する前記基地局との接続を開始することを試行する手段と、
前記接続を開始することのそれぞれの試行における連続した失敗を特定する手段と、
前記接続を開始することの前記それぞれの試行における連続した失敗が生じたことを特定する情報をロギングする手段と、
前記接続を開始することの前記それぞれの試行における連続した失敗が生じたことを特定する前記情報を、報告機会に前記通信システムに報告する手段と、
を備える、通信システムにおいて使用する通信デバイスを提供する。
【００１９】
セルを運用している基地局に対する通信デバイスによる接続の試行に失敗のリスクがある領域は、前記基地局からのダウンリンク信号が、他の基地局からのダウンリンク信号よりも強力であるが、前記通信デバイスからのアップリンク信号の前記基地局による受信に成功することができない領域を含むことができる。
【００２０】
前記通信デバイスは、複数のセルに関連付けられたそれぞれのダウンリンク信号強度を測定する手段を更に備えることができ、前記複数のセルは、前記通信デバイスの付近の或る領域内の前記通信デバイスによって選択可能な前記セルを含み、該領域においては、前記セルを運用している前記基地局に対する前記通信デバイスによる接続の試行に失敗のリスクがあり、前記セルを選択する手段は、前記測定されたそれぞれのダウンリンク信号強度から、最も高い測定信号強度を有するセルを選択するように動作可能とすることができる。
【００２１】
前記セルを運用する前記基地局との接続を開始することを試行する手段は、前記セルが選択されたとき該セルを介して無線リソース制御（ＲＲＣ）接続及び／又は媒体アクセス制御（ＭＡＣ）接続を確立することを試行するように動作可能とすることができる。
【００２２】
前記接続を開始することを試行する手段は、前記接続が必要とされることを特定する情報を送信することによって前記接続を開始することを試行するように動作可能とすることができ、前記特定する手段は、前記接続が必要とされることを特定する前記情報に対する応答が受信されていないと判断することによって、前記接続を開始することの前記試行における失敗を特定するように動作可能とすることができる。
【００２３】
前記接続を開始することを試行する手段は、前記接続が必要とされることを特定する情報を前記基地局に送信することによって前記接続を開始することを試行するように動作可能とすることができ、前記特定する手段は、前記接続が必要とされることを特定する前記情報が前記基地局によって正しく受信されていないことを示す、前記接続が必要とされることを特定する前記情報に対する応答が受信されたと判断することによって、前記接続を開始することの前記試行における失敗を特定するように動作可能とすることができる。
【００２４】
前記特定する手段は、前記接続が必要とされることを特定する前記情報の前記送信後の所定の時間ウィンドウ（例えば、少なくとも１つの所定のサブフレームを含む所定の時間ウィンドウ）内で前記応答を受信することに失敗すると、前記接続を開始することの前記試行における前記失敗を特定するように動作可能とすることができる。
【００２５】
前記接続が必要とされることを特定する前記情報は、前記試行された接続を同期させ、及び／又は前記通信デバイスを特定する際に用いるプリアンブル（例えば、ランダムアクセスチャネルプリアンブル）を備えることができる。
【００２６】
前記特定する手段は、前記応答が受信される前に、タイマー（例えば、Ｔ３００タイマー）の満了時に、前記接続を開始することの試行における失敗を特定するように動作可能とすることができる。
【００２７】
前記特定する手段は、前記応答が、同じセルについて複数の機会において（正しく）受信されていないと特定すると、前記接続を開始することのそれぞれの試行における前記連続した失敗を特定するように動作可能とすることができる。
【００２８】
前記少なくとも１つのセルを運用する前記少なくとも１つの基地局との前記接続を開始することを試行する手段は、前記少なくとも１つのセルを介して前記少なくとも１つの基地局とのランダムアクセス手順を開始するように動作可能とすることができる。この場合、前記少なくとも１つのセルを運用する前記少なくとも１つの基地局との前記接続を開始することを試行する手段は、前記通信システムとのＲＲＣ接続を確立することの要求を受信するのに応答して前記ランダムアクセス手順を開始するように動作可能とすることができる。
【００２９】
前記接続を開始することの前記それぞれの試行における連続した失敗が生じたことを特定する前記情報は、前記少なくとも１つのセルにおいて、連続した無線リソース制御（ＲＲＣ）接続確立の失敗及び／又は連続した媒体アクセス制御（ＭＡＣ）接続確立の失敗が生じたことを特定する情報を含むことができる。
【００３０】
前記報告する手段は、前記接続を開始することの前記それぞれの試行における連続した失敗が生じたことを特定する前記情報を、少なくとも１つのシグナリングメッセージを用いて報告するように動作可能とすることができる。前記少なくとも１つのシグナリングメッセージは少なくとも１つの情報要素（ＩＥ）を含むことができる。前記少なくとも１つの情報要素は、連続した接続確立の失敗が生じたことを示す情報要素（例えば、「Consecutive Conn Est Fail」ＩＥ）と、生じた連続した接続確立の失敗の数を示す情報要素（例えば、「Num of Consecutive Conn Est Fail」ＩＥ）と、ランダムアクセス応答の失敗が生じたことを示す情報要素（例えば、「RAR failure」ＩＥ）と、のうちの少なくとも１つを含むことができる。
【００３１】
前記接続を開始することの前記それぞれの試行における連続した失敗が生じたことを特定する前記情報は、前記選択されたセルを特定する情報と、前記通信デバイスの地理的ロケーションを特定する情報と、前記接続を開始することの前記それぞれの試行における前記連続した失敗が生じた時点を特定する情報と、前記選択されたセルの信号強度を特定する情報と、少なくとも１つの近傍セルの信号強度を特定する情報と、ランダムアクセス応答が検出されたことを特定する情報と、のうちの少なくとも１つを特定する情報を含むことができる。
【００３２】
前記報告する手段は、前記選択されたセル又は別のセル（例えば、後に選択されたセル）のいずれかに対する接続試行が成功した後、前記接続を開始することの前記それぞれの試行における連続した失敗が生じたことを特定する前記情報を前記通信システムに報告するように動作可能とすることができる。
【００３３】
前記通信デバイスは、前記接続を開始することのそれぞれの試行における連続した失敗が生じたことを特定する情報をロギングするように前記通信デバイスを構成するための構成データをメモリ内に記憶する手段を更に備えることができる。前記記憶する手段は、前記通信デバイスの展開の前に前記構成データを（例えば、工場／事業者構成データとして）記憶するように動作可能とすることができる。
【００３４】
前記通信デバイスは、前記接続を開始することのそれぞれの試行における連続した失敗が生じたことを特定する情報をロギングするように前記通信デバイスを構成するための前記構成データを基地局から受信する手段を備えることもできる。この場合、前記受信する手段は、少なくとも１つのシグナリングメッセージを用いて前記構成データを受信するように動作可能とすることができる。この場合、前記少なくとも１つのシグナリングメッセージは、少なくとも１つの「ＵＥ情報要求」メッセージを含むことができる。
【００３５】
前記通信デバイスは、前記特定する手段が、前記接続を開始することの試行における少なくとも１つの失敗が生じたことを特定すると、前記通信デバイスが異なるセルを（再）選択することを認可するための制御データを受信する手段を更に備えることができる。前記制御データは、所定の値にセットされたバックオフインジケーターを含むランダムアクセス応答通信を含むことができる。前記制御データは、バックオフインジケーターなしのランダムアクセス応答通信を含むこともできる。
【００３６】
前記異なるセルは、前記通信デバイスによって選択可能な前記セルを運用している前記基地局に対する前記通信デバイスによる接続の試行に失敗のリスクがある領域において、前記通信デバイスによって選択可能な前記セルよりも低い（例えば、次に高い）測定信号強度を有するセルとすることができる。
【００３７】
前記選択する手段は、前記特定する手段が、前記接続を開始することのそれぞれの試行における連続した失敗を特定すると、前記少なくとも１つの選択されたセルを、少なくとも１つの後続の（再）選択から禁止されるとみなすように動作可能とすることができる。
【００３８】
一態様では、本発明は、通信システムにおいて使用する通信デバイスであって、該通信システムにおいては、基地局が、或る領域内の該通信デバイスによって選択可能なセルを運用し、該領域においては、前記セルを運用している前記基地局に対する該通信デバイスによる接続の試行に失敗のリスクがあり、該通信デバイスは、
該通信デバイスが、前記セルを運用している前記基地局に対する該通信デバイスによる接続の試行に失敗のリスクがある前記領域内にあるときに、前記セルを選択する手段と、
前記領域内で、前記セルが選択されたときに、前記セルを運用する前記基地局との接続を開始することを試行する手段と、
前記特定する手段が、前記接続を開始することの試行における少なくとも１つの失敗が生じたことを特定すると、該通信デバイスが異なるセルを（再）選択することを認可する制御データを受信する手段と、
前記接続を開始することの試行における少なくとも１つの失敗を特定する手段と、
を備え、
前記選択する手段は、前記制御データの受信、及び前記接続を開始することの試行における少なくとも１つの失敗の特定に応答して、異なるセルを（再）選択するように動作可能である、通信システムにおいて使用する通信デバイスを提供する。
【００３９】
前記通信デバイスは、ロングタームエボリューション（ＬＴＥ）規格に従って動作する移動電話及びユーザー機器のうちの少なくとも１つを備えることができる。
【００４０】
別の態様では、本発明は、通信システムにおいて使用する基地局であって、該通信システムにおいては、該基地局又は別の基地局が、或る領域内の通信デバイスによって選択可能なセルを運用し、該領域においては、前記セルを運用している該基地局に対する前記通信デバイスによる接続の試行に失敗のリスクがあり、該基地局は、
該基地局によって運用されているセルを介して通信デバイスとの接続を確立する手段と、
前記通信システムの該基地局又は別の基地局との接続を開始することのそれぞれの試行における連続した失敗が生じたことを特定する情報をロギングするように前記通信デバイスを構成するための情報を、前記確立された接続を用いて前記通信デバイスに送信する手段と、
を備える、通信システムにおいて使用する基地局を提供する。
【００４１】
前記基地局は、接続を開始することのそれぞれの試行における連続した失敗が生じたことを特定する前記情報を含む報告を前記通信デバイスから受信する手段を更に備えることができる。この場合、前記受信する手段は、前記接続を開始することの前記それぞれの試行における連続した失敗が生じたことを特定する前記情報を、少なくとも１つのシグナリングメッセージを用いて受信するように動作可能とすることができる。
【００４２】
前記送信する手段は、無線リソース制御（ＲＲＣ）接続及び／又は媒体アクセス制御（ＭＡＣ）接続を確立することの試行において連続した失敗が生じたことを特定する情報をロギングするように前記通信デバイスを構成するための情報を前記通信デバイスに送信するように動作可能とすることができる。
【００４３】
前記送信する手段は、前記基地局又は別の基地局に、接続が必要とされることを特定する情報を送信することによって前記接続を開始することを試行する際に少なくとも１つの失敗が生じたことを特定する情報をロギングするように前記通信デバイスを構成するための情報を前記通信デバイスに送信するように動作可能とすることができ、前記通信デバイスは、前記接続が必要とされることを特定する前記情報に対する応答が受信されていないと判断することによって、前記接続を開始することを試行する際の失敗を特定するように動作可能とすることができる。
【００４４】
前記送信する手段は、前記基地局又は別の基地局に、接続が必要とされることを特定する情報を送信することによって前記接続を開始することを試行する際に少なくとも１つの失敗が生じたことを特定する情報をロギングするように前記通信デバイスを構成するための情報を前記通信デバイスに送信するように動作可能とすることができ、前記通信デバイスは、前記接続が必要とされることを特定する前記情報が前記基地局又は前記別の基地局によって正しく受信されていないことを示す、前記接続が必要とされることを特定する前記情報に対する応答が受信されたと判断することによって、前記接続を開始することを試行する際の失敗を特定するように動作可能とすることができる。
【００４５】
前記送信する手段は、前記接続が必要とされることを特定する前記情報の前記送信後の所定の時間ウィンドウ（例えば、少なくとも１つの所定のサブフレームを含む所定の時間ウィンドウ）内で前記応答を受信することに失敗すると、前記接続を開始することの前記試行における前記失敗が生じたことを特定する情報をロギングするように前記通信デバイスを構成するための情報を前記通信デバイスに送信するように動作可能とすることができる。
【００４６】
前記接続が必要とされることを特定する前記情報は、前記試行された接続を同期させ、及び／又は前記通信デバイスを特定する際に用いるプリアンブル（例えば、ランダムアクセスチャネルプリアンブル）を備えることができる。
【００４７】
前記送信する手段は、前記応答が受信される前に、タイマー（例えば、Ｔ３００タイマー）の満了時に、前記接続を開始することの試行における失敗を特定する情報をロギングするように前記通信デバイスを構成するための情報を前記通信デバイスに送信するように動作可能とすることができる。
【００４８】
前記送信する手段は、前記応答が、同じセルについて複数の機会において（正しく）受信されていないと特定すると、前記接続を開始することのそれぞれの試行における前記連続した失敗を特定する情報をロギングするように前記通信デバイスを構成するための情報を前記通信デバイスに送信するように動作可能とすることができる。
【００４９】
前記少なくとも１つのセルを運用する前記少なくとも１つの基地局との前記接続を開始することの前記試行は、前記少なくとも１つのセルを介して前記少なくとも１つの基地局とのランダムアクセス手順を開始することを含むことができる。前記少なくとも１つのセルを運用する前記少なくとも１つの基地局との前記接続を開始することの前記試行は、前記通信システムとのＲＲＣ接続を確立することの要求を受信するのに応答して前記ランダムアクセス手順を開始することを含むことができる。
【００５０】
一態様では、本発明は、通信システムにおいて、或る領域内の複数の通信デバイスのうちの任意のものによって選択可能なセルを運用する基地局であって、該領域においては、該基地局に対する通信デバイスによる接続の試行に失敗のリスクがあり、該基地局は、
前記セルが、該セルが通信デバイスによって選択可能であり、かつ該基地局に対するこの通信デバイスによる接続の試行に失敗のリスクがある領域をカバーするセルであることを特定する際に用いる情報を取得する手段と、
前記通信デバイスが、前記接続を開始することの試行における少なくとも１つの失敗が生じたことを特定すると、該基地局への接続を開始することを試行する通信デバイスに、該通信デバイスが異なるセルを（再）選択することを認可する制御データを提供する手段と、
を備える、通信システムにおいて、或る領域内の複数の通信デバイスのうちの任意のものによって選択可能なセルを運用する基地局を提供する。
【００５１】
前記情報を取得する手段は、前記セルを介して前記基地局との接続を開始することのそれぞれの試行における連続した失敗が、少なくとも１つの通信デバイスについて生じたことを示す情報を取得するように動作可能とすることができ、前記基地局は、連続した失敗が生じたことを示す前記情報から、前記セルが、該セルが通信デバイスによって選択可能であり、かつ該基地局に対するこの通信デバイスによる接続の試行に失敗のリスクがある領域をカバーするセルであると判断するように動作可能とすることができる。
【００５２】
前記基地局は、連続した失敗が生じたことを示す前記情報、及び前記通信システムにおける負荷レベル（又は輻輳レベル）を特定する情報から、前記セルが、該セルが通信デバイスによって選択可能であり、かつ該基地局に対するこの通信デバイスによる接続の試行に失敗のリスクがある領域をカバーするセルであると判断するように動作可能とすることができる。
【００５３】
前記通信システムにおける負荷レベル（又は輻輳レベル）を特定する前記情報は、ランダムアクセスチャネル、例えば、物理ランダムアクセスチャネル（ＰＲＡＣＨ）の負荷レベルを含むことができる。
【００５４】
前記提供する手段は、前記通信デバイスが異なるセルを（再）選択することを認可する前記制御データを、該制御データをブロードキャストすることによって提供するように動作可能とすることができる。前記提供する手段は、前記通信デバイスが異なるセルを（再）選択することを認可する前記制御データを、任意の通信デバイスから受信したランダムアクセスプリアンブルに応答して提供するように動作可能とすることができる。
【００５５】
前記基地局は、前記接続を開始することのそれぞれの試行における連続した失敗が生じたことを特定する情報をロギングするように前記通信デバイスを構成するための構成データを前記通信デバイスに送信する手段を更に備えることができる。前記送信する手段は、少なくとも１つのシグナリングメッセージを用いて前記構成データを送信するように動作可能とすることができる。前記少なくとも１つのシグナリングメッセージは、少なくとも１つの「ＵＥ情報要求」メッセージを含むことができる。
【００５６】
前記制御データは、前記通信デバイスが、前記接続を開始することのそれぞれの試行における連続した失敗を特定すると、前記少なくとも１つの選択されたセルを、少なくとも１つの後続の（再）選択から禁止されるとみなすように前記通信デバイスに要求するように動作可能とすることができる。
【００５７】
前記制御データは、所定の値にセットされたバックオフインジケーターを含むランダムアクセス応答通信を含むことができる。
【００５８】
前記基地局は、ロングタームエボリューション（ＬＴＥ）規格に従って動作する基地局を備えることができる。
【００５９】
一態様では、本発明は、通信システムにおいて使用する通信デバイスであって、該通信システムにおいては、基地局が、或る領域内の該通信デバイスによって選択可能なセルを運用し、該領域においては、前記セルを運用している前記基地局に対する該通信デバイスによる接続の試行に失敗のリスクがあり、該通信デバイスはプロセッサ及び送受信機を備える。前記プロセッサは、該通信デバイスが、前記セルを運用している前記基地局に対する該通信デバイスによる接続の試行に失敗のリスクがある前記領域内にあるときに、前記セルを選択するように構成される。前記送受信機は、前記領域内で、前記セルが選択されたときに、前記セルを運用する前記基地局との接続を開始することを試行するように構成される。前記プロセッサは、前記接続を開始することのそれぞれの試行における連続した失敗を特定し、前記接続を開始することの前記それぞれの試行における連続した失敗が生じたことを特定する情報をロギングするように構成され、前記送受信機は、前記接続を開始することの前記それぞれの試行における連続した失敗が生じたことを特定する前記情報を、報告機会に前記通信システムに報告するように構成される。
【００６０】
一態様では、本発明は、通信システムにおいて使用する通信デバイスであって、該通信システムにおいては、基地局が、或る領域内の該通信デバイスによって選択可能なセルを運用し、該領域においては、前記セルを運用している前記基地局に対する該通信デバイスによる接続の試行に失敗のリスクがあり、該通信デバイスはプロセッサ及び送受信機を備える。前記プロセッサは、該通信デバイスが、前記セルを運用している前記基地局に対する該通信デバイスによる接続の試行に失敗のリスクがある前記領域内にあるときに、前記セルを選択するように構成される。前記送受信機は、前記領域内で、前記セルが選択されたときに、前記セルを運用する前記基地局との接続を開始することを試行し、前記プロセッサが、前記接続を開始することの試行における少なくとも１つの失敗が生じたことを特定すると、前記通信デバイスが異なるセルを（再）選択することを認可する制御データを受信するように構成される。前記プロセッサは、前記接続を開始することの試行における少なくとも１つの失敗を特定するように構成され、前記プロセッサは、前記制御データの受信、及び前記接続を開始することの試行における少なくとも１つの失敗の特定に応答して、異なるセルを（再）選択するように動作可能である。
【００６１】
一態様では、本発明は、通信システムにおいて使用する基地局であって、該通信システムにおいては、該基地局又は別の基地局が、或る領域内の通信デバイスによって選択可能なセルを運用し、該領域においては、前記セルを運用している該基地局に対する前記通信デバイスによる接続の試行に失敗のリスクがあり、該基地局は、プロセッサ及び送受信機を備える。前記送受信機は、該基地局によって運用されているセルを介して通信デバイスとの接続を確立し、前記通信システムの該基地局又は別の基地局との接続を開始することのそれぞれの試行における連続した失敗が生じたことを特定する情報をロギングするように前記通信デバイスを構成するための情報を、前記確立された接続を用いて前記通信デバイスに送信するように構成される。
【００６２】
一態様では、本発明は、通信システムにおいて、領域内の複数の通信デバイスのうちの任意のものによって選択可能なセルを運用する基地局であって、該領域においては、該基地局に対する通信デバイスによる接続の試行に失敗のリスクがあり、該基地局は、プロセッサ及び送受信機を備える。前記プロセッサは、前記セルが、該セルが通信デバイスによって選択可能であり、かつ該基地局に対するこの通信デバイスによる接続の試行に失敗のリスクがある領域をカバーするセルであることを特定する際に用いる情報を取得するように構成され、前記送受信機は、該基地局への接続を開始することを試行する通信デバイスに、該通信デバイスが、前記接続を開始することの試行における少なくとも１つの失敗が生じたことを特定すると、前記通信デバイスが異なるセルを（再）選択することを認可する制御データを提供するように構成される。
【００６３】
更に別の態様では、本発明は、上記で記載した通信デバイスと、上記で記載した基地局とを備える通信システムを提供する。
【００６４】
本発明は、通信システムにおいて通信デバイスによって実行される方法であって、該通信システムにおいては、基地局が、或る領域内の前記通信デバイスによって選択可能なセルを運用し、該領域においては、前記セルを運用している前記基地局に対する前記通信デバイスによる接続の試行に失敗のリスクがあり、該方法は、
前記通信デバイスが、前記セルを運用している前記基地局に対する前記通信デバイスによる接続の試行に失敗のリスクがある前記領域内にあるときに、前記セルを選択することと、
前記領域内で、前記セルが選択されたときに、前記セルを運用する前記基地局との接続を開始することを試行することと、
前記接続を開始することのそれぞれの試行における連続した失敗を特定することと、
前記接続を開始することの前記それぞれの試行における連続した失敗が生じたことを特定する情報をロギングすることと、
前記接続を開始することの前記それぞれの試行における連続した失敗が生じたことを特定する前記情報を、報告機会に前記通信システムに報告することと、
を含む、通信システムにおいて通信デバイスによって実行される方法も提供する。
【００６５】
本発明は、通信システムにおいて通信デバイスによって実行される方法であって、該通信システムにおいては、基地局が、或る領域内の前記通信デバイスによって選択可能なセルを運用し、該領域においては、前記セルを運用している前記基地局に対する前記通信デバイスによる接続の試行に失敗のリスクがあり、該方法は、
前記通信デバイスが、前記セルを運用している前記基地局に対する前記通信デバイスによる接続の試行に失敗のリスクがある前記領域内にあるときに、前記セルを選択することと、
前記領域内で、前記セルが選択されたときに、前記セルを運用する前記基地局との接続を開始することを試行することと、
前記接続を開始することの試行における少なくとも１つの失敗が生じたことが特定されると、前記通信デバイスが異なるセルを（再）選択することを認可するための制御データを受信することと、
前記接続を開始することの試行における少なくとも１つの失敗が生じたことを特定することと、
前記制御データの受信、及び前記接続を開始することの試行における少なくとも１つの失敗の特定に応答して、異なるセルを（再）選択することと、
を含む、通信システムにおいて通信デバイスによって実行される方法も提供する。
【００６６】
本発明は、通信システムにおいて基地局によって実行される方法であって、該通信システムにおいては、前記基地局又は別の基地局が、或る領域内の通信デバイスによって選択可能なセルを運用し、該領域においては、前記セルを運用している前記基地局に対する前記通信デバイスによる接続の試行に失敗のリスクがあり、該方法は、
前記基地局によって運用されているセルを介して通信デバイスとの接続を確立することと、
前記通信システムの前記基地局又は別の基地局との接続を開始することのそれぞれの試行における連続した失敗が生じたことを特定する情報をロギングするように前記通信デバイスを構成するための情報を、前記確立された接続を用いて前記通信デバイスに送信することと、
を含む、通信システムにおいて基地局によって実行される方法も提供する。
【００６７】
本発明は、通信システムにおいて、或る領域内の複数の通信デバイスのうちの任意のものによって選択可能なセルを運用する基地局によって実行される方法であって、該領域においては、前記基地局に対する通信デバイスによる接続の試行に失敗のリスクがあり、該方法は、
前記セルが、該セルが通信デバイスによって選択可能であり、かつ前記基地局に対するこの通信デバイスによる接続の試行に失敗のリスクがある領域をカバーするセルであることを特定する際に用いる情報を取得することと、
前記通信デバイスが、前記接続を開始することの試行における少なくとも１つの失敗が生じたことを特定すると、該基地局への接続を開始することを試行する通信デバイスに、該通信デバイスが異なるセルを（再）選択することを認可する制御データを提供することと、
を含む、通信システムにおいて、或る領域内の複数の通信デバイスのうちの任意のものによって選択可能なセルを運用する基地局によって実行される方法も提供する。
【００６８】
本発明の態様は、上記で示した態様及び可能な形態若しくは特許請求の範囲において記載されるような方法を実行するようにプログラマブルプロセッサをプログラムするように、及び／又は特許請求の範囲のいずれかの請求項において記載される装置を提供するように適切に構成されたコンピューターをプログラムするように動作可能である、その上に記憶された命令を有するコンピューター読取り可能な記憶媒体のようなコンピュータープログラム製品にまで及ぶ。コンピュータープログラム製品は、搬送信号、又はＣＤ、ＤＶＤ等の記録媒体において提供することができる。
【００６９】
本明細書（特許請求の範囲を含む）において開示され、及び／又は図面において示される各特徴は、開示され、及び／又は図示される任意の他の特徴から独立して（又はそれらと組み合わせて）本発明に組み込まれる場合がある。詳細には、限定はしないが、特定の独立請求項に従属する請求項のうちのいずれかの特徴は、任意の組み合わせにおいて又は個々に、その独立請求項に取り込まれる場合がある。
【００７０】
次に、本発明の実施形態を、単に例として、添付の図面を参照しながら説明する。
【図面の簡単な説明】
【００７１】
【図１】本発明の実施形態を適用することができる移動電気通信システムを概略的に示す図である。
【図２】図１に示すシステムの一部を形成する移動電話の主要コンポーネントを示すブロック図である。
【図３】図１に示すシステムの一部を形成する基地局の主要コンポーネントを示すブロック図である。
【図４】連続ランダムアクセス失敗のロギング及び報告を構成するときに、通信システムのコンポーネントによって実行される方法を示す例示的なタイミング図である。
【図５】連続したランダムアクセス失敗を回避するときに、通信システムのコンポーネントによって実行される方法を示す例示的なタイミング図である。
【図６】無線リソース接続を確立するときに、通信システムのコンポーネントによって実行される方法を示す例示的なタイミング図である。
【図７】ランダムアクセス手順に関係するシグナリングを実行するときに、通信システムのコンポーネントによって実行される方法を示す例示的なタイミング図である。
【発明を実施するための形態】
【００７２】
概観
図１は、基地局５−１及び／又は５−２によってサービングされるユーザー機器、例えば移動電話３を備える移動（セルラー）電気通信システム１を概略的に示す。基地局５−１及び５−２はそれぞれ、１つ又は複数のセル（すなわち、それぞれセル１及びセル２）を運用し、セル内で移動電話３のためにコアネットワーク７へのアクセスを提供する。この例において、セル１及びセル２は同じ追跡エリアに属する。
【００７３】
このシステムにおいて、基地局５−１及び５−２はＸ２インターフェースを介して互いに結合される。基地局５−１及び５−２は、中でも、コアネットワーク７内で移動電話３のモビリティを管理するモビリティ管理エンティティ（ＭＭＥ）９と、ドライブ試験最小化（ＭＤＴ）サーバー１１とを含むコアネットワーク７にも結合される。
【００７４】
セル１内の基地局５−１によって提供されるダウンリンク信号は、地理的／環境的要因（例示的に１５で示す）が、ダウンリンク信号が異常に強力である「ファントム」（又は「擬似」）セル（セル１’）を効果的に提供した結果として、効果的に強化される。地理的／環境的要因１５は、ファントムセルであるセル１’内の移動電話からのアップリンク信号に対しては、対応する強化効果を有しない。したがって、セル２にキャンプオンしている移動電話３が、セル２から、ファントムセルであるセル１’とセル２との間の重複エリア内に（矢印Ａによって示すように）移動するとき、基地局５−１からのダウンリンク信号が基地局５−２からのダウンリンク信号よりも強力になるポイントが到来する。しかし、このとき、移動電話３からのアップリンク信号は一切基地局５−１によって適切に受信することができない。このポイントにおいて、移動電話３は（移動電話３がセル１内に適切に位置していないにもかかわらず）セル１を再選択する。同様に、移動電話３がファントムセルとセル２との間の重複エリアにおいて（矢印Ａによって示すように）オンに切り替わる場合、基地局５−１からのダウンリンク信号が基地局５−２からのダウンリンク信号よりも強力であり、移動電話３が、セル１内に適切に位置していないにもかかわらず、セル２に優先してセル１を選択する重複エリアの領域が存在する。
【００７５】
セル１にキャンプオンしているが、セル１内に適切に位置していない移動電話３が、別のネットワークノード（例えば、別の移動電話又は遠隔サーバー）とデータを通信する必要性を検出すると、この移動電話３は、基地局５−１とのＲＲＣ接続確立手順をトリガーする。移動電話３は、ＲＲＣ接続要求メッセージを生成することによってこれを行う。ＲＲＣ接続要求メッセージは、基地局５−１への送信のためにＲＲＣレイヤーからＭＡＣレイヤーに渡される。そしてこれは、ＭＡＣレイヤーが指定されたタイムスロットにおいて基地局５−１とのランダムアクセス手順を開始することをトリガーする。
【００７６】
一方、この場合、「セル１」で表されるセル内で送信されるアップリンク信号は、地理的／環境的要因１５によって生じる通信不均衡の結果として基地局５−１によって受信されない（又は適切に受信されない）。結果として、ランダムアクセス手順（図１において矢印によって概略的に示される）は「セル１」において失敗する。手順は、基地局５−１が、移動電話３によって送信されるランダムアクセスプリアンブルの受信に失敗したことに起因して、又は後続のステップにおいて、例えば、ランダムアクセスプリアンブルが誤って受信されたことにより、基地局５−１が移動電話３に誤ったランダムアクセス応答（又は異なる移動電話に宛てられたランダムアクセス応答）を送信することに起因して、失敗する場合がある。
【００７７】
移動電話３は、ランダムアクセス手順の失敗から生じたＭＡＣレイヤー通信失敗を被ると、所定の再送信数（例えば、所定の「再送信制限」）に達するまでランダムアクセスプリアンブルを再送信し、所定の再送信数に達すると、ＭＡＣレイヤーはリセットされる必要がある。ＭＡＣレイヤーは、例えばＴ３００タイマーの満了時に高次のレイヤー（例えば、ＲＲＣレイヤー）によってリセットすることもできる。
【００７８】
一方、この例では、ファントムセルに入る前に、移動電話３は、通信ネットワーク１によって、地理的／環境的に生じた通信不均衡の問題の結果生じる連続したランダムアクセスの失敗を示す事象を検出し、ロギングするように構成されることが有益である。
【００７９】
具体的には、この例では、移動電話３が以前にＲＲＣ接続を確立した基地局（例えば、基地局５−２）が、（例えば、確立されたＲＲＣ接続を通じた適切なシグナリングメッセージを介して、又は図１の矢印Ｂによって概略的に示されるような他の手段を介して）移動電話３を、通信ネットワーク１のセルに関して連続した通信の失敗の発生をロギングし、報告するように構成する。そのような連続した通信の失敗は、例えば、連続したランダムアクセスの失敗及び／又は連続したＲＲＣ接続要求の失敗（これ自体が、連続したランダムアクセスの失敗を示す）を含むことができる。移動電話３は、例えば、連続したランダムアクセスの失敗を被ったセル及び／又はロケーションを特定する情報、及び／又は、連続したランダムアクセスの失敗を被ったセル及び／又は近傍のセルの信号品質／強度測定結果を含む他の関連情報をロギングするようにも構成されることが有益である。
【００８０】
したがって、移動電話３は、ファントムセルであるセル１’及びセル２の重複するカバレッジエリア内に位置するとき、地理的／環境的に生じた通信不均衡の問題の結果として生じた連続したランダムアクセスの失敗を示す情報及び関連情報を収集することになる。次に、この情報は、後に、移動電話３が任意の適切に構成された基地局（例えば、基地局５−２）とのＲＲＣ接続の確立に成功すると、報告することができる。
【００８１】
次に、報告を受信した基地局５−２は、この報告を、影響を受けるセル（セル１）を運用している基地局５−１に、これらの基地局間に提供されるＸ２インターフェースを介して転送することができる。又は、報告を受信した基地局５−２は、影響を受けるセルにおける問題の回避のために、この報告を任意の他のネットワークノード、例えばコアネットワーク７内のＭＤＴサーバー１１に転送することができる。
【００８２】
有利には、連続した通信の失敗に関する情報は、「Radio measurement collection for Minimization of Drive Tests (MDT)」と題する３ＧＰＰ  ＴＳ３７．３２０規格において指定されている手順と同様の要求−応答手順を用いて移動電話３から収集される。一方、この例において、最後に成功した完了したランダムアクセス手順又は最後の接続確立失敗のみを報告するのではなく（この報告からは、地理的／環境的に生じた通信不均衡の問題の存在を判断することが可能でない）、移動電話３は、連続した通信の失敗が生じたことをネットワークに報告することが有利である。
【００８３】
移動電話３の報告を受信するネットワークノード、例えば悪影響を受けているセル（セル１）を運用している基地局５−１は、報告に含まれる情報、及びこのネットワークノードに利用可能な任意の追加情報（例えば、報告が関連するセル内の輻輳に関する情報）から、報告された連続した接続確立の失敗が、基地局５−１の信号の異例な伝搬に関する（これは、地理的／環境的に生じた通信不均衡の問題を示す場合がある）か、又は「セル１」で表されるセル内の輻輳等の任意の他の問題に関するのかを判断することができることが有利である。したがって、移動電話３にサービングする基地局５は、連続したランダムアクセスの失敗を被っている移動電話が、ファントムセル内での接続試行の繰り返しサイクルにトラップされないように、移動電話が自身のカバレッジエリアに入るためのセル選択／再選択を支援することができる。
【００８４】
特に、基地局５−１が、連続した接続確立の失敗が「セル１」で表されるセル内の地理的／環境的に生じた通信不均衡の問題に起因すると判断する場合、そのセルを介したＲＲＣ接続の確立を試行する移動電話３に、それらの移動電話３が「セル１」で表されるセル内でランダムアクセス失敗（又は連続したランダムアクセス失敗）を被る場合に、２番目に最良のセルを選択することを許可されることのインジケーションを与えることができる。そのようなインジケーションは、基地局５−１によって、ランダムアクセス手順自体の間に、例えば、基地局５−１によって送信され（これは、より強力なダウンリンクにおける任意の受信に成功したランダムアクセスプリアンブル、例えば、基地局により近い別の移動電話によって送信されたプリアンブルに対し応答したものであり得る）、移動電話３によって受信されるランダムアクセス応答からのいわゆるバックオフインジケーター（ＢＩ）を適切にセットする（例えば、値を所定の数、例えば「０」にセットする）か又は場合によっては省くことによって与えることができる。このインジケーションは、移動電話３に、「セル１」で表されるセルが、少なくともその移動電話３による次のセル再選択／ハンドオーバー手順にわたって禁止されるとみなされることを通知する。そのようなインジケーションは、システムブロードキャストを介して基地局５−１によって提供することもできる。
【００８５】
他方で、基地局５−１は、「セル１」における連続した接続確立の失敗が、他の問題、例えば輻輳によって生じると判断する場合、そのセルを介したＲＲＣ接続の確立を試行する移動電話３に、「セル１」においてランダムアクセス失敗（又は連続したランダムアクセス失敗）を被る場合であっても、通常のＲＲＣ／ＭＡＣ手順に従い続けるべきであるという（明示的又は暗黙的）インジケーションを与えることができる。
【００８６】
移動電話
図２は、図１に示す移動電話３の主要コンポーネントを示すブロック図である。
【００８７】
図２に示すように、移動電話３は送受信機回路３１を備え、この送受信機回路３１は、アンテナ３３を介して基地局５との間で信号を送受信する。移動電話３は、ユーザーインターフェース３５を更に備える。送受信機回路３１の動作は、メモリ３９内に記憶されたソフトウェアに従ってコントローラー３７によって制御される。ソフトウェアは、中でも、オペレーティングシステム４１と、通信制御モジュール４３と、無線リソース制御（ＲＲＣ）モジュール４５と、媒体アクセス制御（ＭＡＣ）モジュール４７と、セル選択モジュール４８と、測定ロギング及び報告モジュール４９とを備える。
【００８８】
通信制御モジュール４３は、例えば、送受信機回路３１によって基地局５との通信において用いられるリソースの配分を含む、基地局５との通信を制御する。
【００８９】
無線リソース制御モジュール４５は、様々なＲＲＣモード間の遷移を制御し、基地局５への／からの（媒体アクセス制御モジュール４７を介した）関連付けられたＲＲＣシグナリングをハンドリングする。
【００９０】
媒体アクセス制御モジュール４７は、移動電話３と基地局５との間の通信を制御する。特に、媒体アクセス制御モジュール４７は、無線リソース制御モジュール４５によるＲＲＣ接続の確立の開始時にランダムアクセス手順に関係するシグナリングを実行する。媒体アクセス制御モジュール４７はまた、ランダムアクセス手順が失敗する回数を追跡し、例えば、ランダムアクセス手順が失敗したセル及び回数を特定する情報をセル選択モジュール４８に与える。媒体アクセス制御モジュール４７は、失敗がランダムアクセスに関係するシグナリングを送信又は受信することに関係するか否かも特定することができる。
【００９１】
セル選択モジュール４８は、ネットワークと通信するためのセルを選択し、選択されたセルのインジケーションを他のモジュールに与える。特に、セル選択モジュール４８は、セル及び関連付けられた信号品質（例えば、測定／受信された信号強度）のリストを維持し、最も強力な信号を有するセルを選択する。一方、セル選択モジュール４８は、（例えば、媒体アクセス制御モジュール４７によって提供される情報に基づいて）最も強力な信号を有するセルに対して連続したランダムアクセス失敗が生じたと判断するとき、２番目に最良の／２番目に強力な信号を有するセルを選択することを認可されている場合にこれを行う。
【００９２】
測定ロギング及び報告モジュール４９は、連続した通信の失敗の問題をロギングし、報告するための構成データを取得し、そのような連続した通信の失敗の問題に関係する情報を生成してネットワークに与える。測定ロギング及び報告モジュール４９は、例えば、ネットワークエンティティ（基地局５等）からの要求に応答して、及び／又は基地局５との（ＲＲＣモジュール４５による）ＲＲＣ接続の確立時に、そのような情報を与えることができる。
【００９３】
基地局
図３は、基地局５の主要コンポーネントを示すブロック図である。基地局５は固定通信ノードであり、自身のカバレッジエリア内のユーザー機器（移動電話）３にサービスを提供する。図３に示すように、基地局５は送受信機回路５１を備え、この送受信機回路５１は、少なくとも１つのアンテナ５３を介して移動電話３との間で信号を送受信する。基地局５はまた、（Ｘ２インターフェースを用いて近傍基地局５と通信し、Ｓ１インターフェースを介してコアネットワーク７と通信するために）ネットワークインターフェース５５を介してコアネットワーク７及び他の近傍基地局５との間で信号を送受信する。送受信機回路５１の動作は、メモリ５９内に記憶されたソフトウェアに従って、コントローラー５７によって制御される。ソフトウェアは、中でも、オペレーティングシステム６１と、通信制御モジュール６３と、無線リソース制御（ＲＲＣ）モジュール６５と、媒体アクセス制御（ＭＡＣ）モジュール６７と、測定報告構成モジュール６８と、ランダムアクセス（ＲＡ）失敗判断モジュール６９とを備える。
【００９４】
通信制御モジュール６３は、基地局５及び移動電話３と、ＭＭＥ９及びＭＤＴサーバー１１等のネットワークデバイスとの間の通信を制御する。
【００９５】
無線リソース制御モジュール６５は、基地局５と、基地局５にアタッチした移動電話３との間で用いられる無線通信リソースを制御する。特に、無線リソース制御モジュール６５は、セル（複数の場合もある）内の基地局５と移動電話３との間のＲＲＣ接続の確立を制御する。
【００９６】
媒体アクセス制御モジュール６７は、基地局５と移動電話３との間の通信を制御する。特に、媒体アクセス制御モジュール６７は、移動電話３の対応する媒体アクセス制御モジュール４７によって開始されるランダムアクセス手順に関係するシグナリングを実行する。
【００９７】
測定報告構成モジュール６８は、連続した通信失敗の問題に関係する情報をロギング及び報告するために、基地局５によってサービングされる互換性のある移動電話３を構成する。測定報告構成モジュール６８は、例えば、移動電話３に要求が送信されるのに応答して、及び／又は（ＲＲＣモジュール６５による）移動電話３とのＲＲＣ接続の確立時に、そのような情報を取得することができる。
【００９８】
ランダムアクセス失敗判断モジュール６９は、（移動電話３から取得した情報に基づいて）移動電話３とのＭＡＣレイヤー接続の確立の失敗に関するインジケーションを測定報告構成モジュール６８から取得する。特に、ランダムアクセス失敗判断モジュール６９は、（受信したインジケーションに基づいて）いつ基地局５のセルに対して連続したランダムアクセスの失敗が生じたかを判断する。この場合、ランダムアクセス失敗判断モジュール６９は、移動電話３が異なるセル、例えば、判断された連続したランダムアクセスの失敗を被るセルよりも不良な／弱い信号品質を有するセルを選択することを認可されているか否かを判断する（そして、それに従って移動電話３に通知する）ことができる。
【００９９】
上記の説明において、理解を容易にするために、移動電話３及び基地局５は、複数の離散モジュール（通信制御モジュール及び媒体アクセス制御モジュール等）を有するものとして説明されている。これらのモジュールは、幾つかの応用形態の場合、例えば、本発明を実施するために既存のシステムが変更された場合には、このようにして設けることができるが、他の応用形態、例えば、最初から本発明の特徴を念頭に置いて設計されるシステムでは、これらのモジュールはオペレーティングシステム又はコード全体の中に組み込むことができるので、これらのモジュールは別個の実体として区別可能でない場合もある。これらのモジュールは、ソフトウェア、ハードウェア、ファームウェア又はこれらの組み合わせにおいて実施することもできる。
【０１００】
ここで、上記の移動電話３及び基地局５を用いて本発明の様々な態様をどのように実施することができるのかを例示する複数の異なる実施形態を説明する。実施形態は、図４及び図５に示すタイミング図、並びに図６及び図７に示すフローチャートを参照して説明される。
【０１０１】
動作
図４は、連続したランダムアクセスの失敗のロギング及び報告を構成するときに通信システム１のコンポーネントによって実行される方法を示す例示的なタイミング図を示す。
【０１０２】
この実施形態では、ステップＳ４００において包括的に示すように、最初に、移動電話（ＵＥ：ユーザー機器）３はＲＲＣアクティブモードで動作している。したがって、移動電話３は、通信ネットワークのセル（この場合、基地局５−２によって運用される「セル２」）を介してデータを送信／受信することができる。
【０１０３】
次に、この実施形態において、ステップＳ４０１において、基地局（ｅＮＢ−２）５−２は（自身の測定報告構成モジュール６８を用いて）、移動電話３の測定ロギング及び報告モジュール４９を、この移動電話３が被った連続した通信失敗の問題をロギングし報告するように構成する。
【０１０４】
この後、ステップＳ４０２において、ＲＲＣ接続は終了し、移動電話３はＲＲＣアイドル動作モードに入る。
【０１０５】
ステップＳ４０３において包括的に示すように、移動電話３は、（３ＧＰＰ  ＴＳ３６．３３１規格のセクション５．５．４に記載されているように）信号測定を実行する。これらの測定の結果に基づいて、ステップＳ４０４において、次にセル選択モジュール４８は（３ＧＰＰ  ＴＳ３６．３０４規格に記載されているように）セル再選択を実行し、この例では、「セル１」で表される（最良／最も強力な信号を有する）セルを選択する。
【０１０６】
一方、選択されたセルは、地理的／環境的に生じた不均衡による影響を受け、これによって移動電話３に「ファントム」セルを選択させる。この結果、ステップＳ４０５において包括的に示すように、その後、移動電話３が「セル１」で表されるセルとの接続の確立を試行するとき、１つ又は複数の接続試行が失敗することになる。例えば、ＲＲＣモジュール４５によって開始されたＲＲＣ接続確立手順、及び／又はＭＡＣモジュール４７によって開始されたランダムアクセス手順は、選択されたセル（セル１）について失敗する場合がある。
【０１０７】
ステップＳ４０６において、測定ロギング及び報告モジュール４９は（例えば、ＲＲＣモジュール４５及び／又はＭＡＣモジュール４７との通信によって）、選択されたセル（セル１）に関して通信の失敗（この例では、ランダムアクセスの失敗）が生じたことを検出する。ＲＲＣ接続確立の失敗の検出の更なる詳細は、以下で図６を参照して与えられ、ランダムアクセス手順の失敗の検出の更なる詳細は、図７を参照して与えられる。
【０１０８】
図４のステップＳ４０６を継続すると、測定ロギング及び報告モジュール４９は、ネットワークへの後続の報告のために（ステップＳ４０１において受信された構成に従って）検出された失敗の詳細をロギングする。
【０１０９】
次に、ステップＳ４１０に示すように、移動電話３は、例えば、更なる信号測定及び関連付けられたセルの選択に従って、この例では、基地局５−２によって運用される「セル２」を介してネットワークとのＲＲＣ接続を確立することができる。ＲＲＣ接続が確立されると、測定ロギング及び報告モジュール４９は、セル１に関する、通信の失敗（例えば、ランダムアクセスの失敗）を被ったことに関係する情報を送信する（ステップＳ４１１）。有利には、受信基地局５−２は、報告されたセル（セル１）に影響を与える地理的／環境的に生じた不均衡に関連する問題を回避するために、この情報を更なるネットワークノード（例えば、ステップＳ５００ａにおいて、報告されるセルを運用する基地局（ｅＮＢ−１）５−１、又はステップＳ５００ｂ又はＳ５００ｃにおいて、ＭＤＴサーバー１１）に与える。地理的／環境的に生じた不均衡の回避の更なる詳細は、以下で図５を参照して与える。
【０１１０】
ステップＳ５０２に示すように、報告されたセルを運用する基地局５−１は（移動電話３によって提供される情報、及び場合によっては、この基地局５−２において利用可能な更なる情報を用いて）、「セル１」で表される自身のセルが、ファントムセルの問題を被っていることを特定することができる。したがって、移動電話３（又は、セル１のカバレッジエリア内の任意の更なるユーザー機器）がその後、（ステップＳ５０４において包括的に示されるように）適切なセルの選択を試行するとき、基地局５−１は、２番目に強力なダウンリンク信号強度を示すセルに対するセル選択を認可することによって、移動電話３が（ステップＳ５０５において）、判断された地理的／環境的に生じた不均衡を被らないセルを選択するのを支援することができる。有利には、移動電話３は、最も近時の測定結果（ステップＳ４１３において取得される）が、セル１が最も強力な信号を有することを示す場合であっても、ファントムセルであるセル１’内に位置する間、異なるセル（例えば、セル２）を再選択することができる。
【０１１１】
図５は、連続したランダムアクセスの失敗を回避するときに通信システム１のコンポーネントによって実行される方法を示す例示的なタイミング図を示す。
【０１１２】
上記で言及したように、セル１に関して被った通信の失敗（例えば、ランダムアクセスの失敗）に関係する情報を受信した基地局５−２は、報告された問題を回避するために、この情報を更なるネットワークノードに転送する。
【０１１３】
図５において「オプションＡ」で表される１つの例では、ステップＳ５００ａにおいて包括的に示されるように、基地局（ｅＮＢ−２）５−２は、受信した報告を、報告されたセルを運用している基地局（ｅＮＢ−１）５−１に提供する。例えば、基地局は、それらの間に設けられるＸ２インターフェースを用いることができる。報告されたセル（セル１）を運用している基地局５−１は、通信の失敗に関係する情報を受信すると、報告された通信の失敗がファントムセル問題に起因するか否かを特定することができる（ステップＳ５０２ａ）。
【０１１４】
例えば、基地局５−１は、自身の物理ランダムアクセスチャネル（ＰＲＡＣＨ）において輻輳が観測されるか否かをチェックすることができる。このチェックの結果が、輻輳がＰＲＡＣＨにおいて観測されないことを示す場合、基地局５−１は、報告された通信の失敗が（輻輳ではなく）ファントムセルに起因すると判断することができる。別の例では、基地局５−１は、通信失敗時の基地局５−１の地理的ロケーションと、報告する移動電話３の地理的ロケーションとの間の距離（既知の場合）が、報告されたセルの半径に対応する閾値距離よりも大きいか否かをチェックすることができる。例えば、この場合、通信の失敗が生じたときに、報告する移動電話３が報告されたセルの外側にあったと判断される場合、基地局５−１は、報告された通信の失敗がファントムセルに起因すると判断することができる。
【０１１５】
図５において「オプションＢ」で表される別の例では、基地局５−２は、ステップＳ５００ｂにおいて包括的に示されているように、受信した報告をＭＤＴサーバー１１に提供する。この場合、ステップＳ５０１ｂにおいて包括的に示されているように、ＭＤＴサーバー１１は、基地局５−１からセル固有情報（例えば、セル１のＰＲＡＣＨ及び／又は基地局５−１の地理的ロケーションに関係する情報）を取得することができ、ＭＤＴサーバー１１が、基地局５−１のセル１に影響を与えるファントムセル問題を（Ｓ５０２ｂにおいて）特定することができるようにすることができる。ファントムセル問題が特定された場合、ＭＤＴサーバー１１は、ステップＳ５０３ｂにおいて、影響を受けるセルを運用している基地局５−１に、適切にフォーマット設定されたシグナリングメッセージを生成し、基地局５−１に送信することによって通知する。
【０１１６】
図５において「オプションＣ」で表される更に別の例では、ステップＳ５００ｃにおいて包括的に示されるように、基地局５−２は受信した報告をＭＤＴサーバー１１に提供する。一方、この例では、ＭＤＴサーバー１１は、報告された通信の失敗がファントムセル問題に起因するか否かを特定しない場合がある。代わりに、ＭＤＴサーバー１１は、受信した報告を、報告されたセルを運用している基地局５−１に転送する。このため、オプションＡと同様に、基地局５−１は（Ｓ５０２ｃにおいて）、報告された通信の失敗がファントムセルに起因すると判断することができる。
【０１１７】
最終的に、（ステップＳ５０２ａ、Ｓ５０２ｂ及びＳ５０２ｃのうちのいずれか１つにおいて）ファントムセル問題が特定されると、影響を受けるセルを運用している基地局５−１は、ファントムセルに入る移動電話３（又は任意の他のユーザー機器）による後続の通信試行において、２番目に最良のセルに対するセル再選択を認可することができることが有益である。
【０１１８】
ＲＲＣ接続の確立
図６は、移動電話３のための無線リソース接続を確立するときに、通信システム１のコンポーネントによって実行される方法を示す例示的なタイミング図を示す。
【０１１９】
この実施形態では、最初に、移動電話３がＲＲＣアイドルモードで動作している。したがって、移動電話３は、送信する新たなデータを有するとき、自身のＲＲＣモジュール４５を用いて、最も強力な信号を有するセル（移動電話３のセル選択モジュール４８によって選択される）を介して無線アクセスネットワークとの接続を確立するための、適切にフォーマット設定されたＲＲＣ要求を生成する。
【０１２０】
ステップＳ６００に示すように、移動電話（ＵＥ）３はＴ３００タイマーを開始し、ステップＳ６０１において、移動電話３のＲＲＣモジュール４５は、生成されたメッセージ（例えば、「ＲＲＣ接続要求」メッセージ）を、そのセルを運用している基地局（ｅＮＢ）５に送信することを試行する。特に、生成されたＲＲＣメッセージは、選択されたセルを運用している基地局５の対応するＭＡＣモジュール６７への送信のためにＭＡＣモジュール４７に渡される。任意のＲＲＣメッセージを送信する前に辿ることになるランダムアクセス手順に関係する、ＭＡＣモジュール４７及び６７間のシグナリングを、以下で図７を参照して説明する。
【０１２１】
ステップＳ６０３において、ＲＲＣモジュール４５は、サービング基地局５の対応するＲＲＣモジュール６５から適切なＲＲＣ応答（例えば、「ＲＲＣ接続セットアップ」メッセージ）を受信すると、（ステップＳ６０４に示すように）Ｔ３００タイマーを停止する。ＲＲＣモジュール４５は、ステップＳ６０５において、適切にフォーマット設定された確認メッセージ（例えば、「ＲＲＣ接続セットアップ完了」メッセージ）を生成し、サービング基地局５に送信することによって、選択されたセルを介したＲＲＣ接続の確立を確認する。
【０１２２】
しかしながら、ステップＳ６０３における応答が、ステップＳ６０６におけるＴ３００タイマーの満了までにサービング基地局５から受信されていない場合、ＲＲＣモジュール４５は、選択されたセルを介したＲＲＣ接続の確立に成功しなかったと判断する。したがって、ＲＲＣモジュール４５は、ステップＳ６０７において、ネットワークへの後続の送信のために（ＲＲＣ接続をセットアップすることができる基地局と同じ又は異なる基地局を介して）、適切にフォーマット設定された報告メッセージ（例えば、「連続ＲＲＣ接続セットアップ失敗」メッセージ）を生成する。連続した接続失敗の報告が送信可能になると、報告を受信する基地局５は、自身のネットワークインターフェース５５を介して更なるネットワークノードと（例えば、Ｘ２インターフェースを用いて影響を受けているセルを運用している近傍基地局と、又はＳ１インターフェースを介してＭＤＴサーバー１１と）報告を共有することができる。
【０１２３】
移動電話３はこのようにして、自身のサービング基地局５（又は任意の他のネットワークノード）に、選択されたセル内で被る連続した接続要求の失敗の状況の発生を通知することができることが有利である。影響を受けるセルを運用している基地局５は、報告及びネットワークに利用可能な任意の更なる情報を用いて、適切な補正動作を行うことができる。
【０１２４】
ランダムアクセス手順
図７は、移動電話３によって開始されたランダムアクセス手順に関係するシグナリングを実行するときに通信システム１のコンポーネントによって実行される方法を示す例示的なタイミング図を示す。
【０１２５】
ランダムアクセス手順は、ＭＡＣモジュール４７によって開始することができるが、この場合は上位レイヤーによって開始される。より具体的には、この場合、ＲＲＣモジュール４５は、基地局５の選択されたセルを介したＲＲＣ接続を確立するために、「ＲＲＣ接続要求」メッセージをこの基地局５に送信することをＭＡＣモジュール４７に要求する（図６のステップＳ６０１）。次に、ＲＲＣモジュール４５のこの要求は、３ＧＰＰ  ＴＳ３６．３２１のセクション５．１に従って、移動電話３と基地局５との間で実行されるランダムアクセス手順をトリガーする。３ＧＰＰ  ＴＳ３６．３２１の内容は、引用することにより本明細書の一部をなす。
【０１２６】
図７に示されるように、ランダムアクセス手順はステップＳ７０１において開始し、ステップＳ７０１において、ＭＡＣモジュール４７は、適切にフォーマット設定されたランダムアクセスプリアンブルを生成し、選択されたセルを運用している基地局５の対応するＭＡＣモジュール６７に送信する。次に、ステップＳ７０２において、ＭＡＣモジュール４７は自身の「プリアンブルカウンター」を１（すなわち、初期値「０」から）インクリメントし、このセルのために実行される連続したランダムアクセスの試行回数を追跡する。
【０１２７】
基地局５のＭＡＣモジュール６７によるランダムアクセスプリアンブルの受信が成功した場合、基地局５はステップＳ７０３において、ランダムアクセス応答をＭＡＣモジュール４７に返す。ステップＳ７０１及びＳ７０３の双方の完了に成功した場合、ＭＡＣモジュール４７はステップＳ７０５に進み、ステップＳ７０５において、任意のスケジューリングされた送信（この場合、ＲＲＣモジュール４５からのＲＲＣ接続要求メッセージ）を基地局５に送信する。最終的に、ステップＳ７０７において、スケジューリングされた送信の受信の後に、それぞれのＭＡＣモジュール４７、６７間の競合解除シグナリングが続き、異なるデバイス３間の任意の潜在的な競合が解消されることを確保するのに役立つ。
【０１２８】
一方、ステップＳ７０１及び／又はステップＳ７０３の実行に成功することができない場合、ステップＳ７０１及びＳ７０２は、「プリアンブルカウンター」が所定の値に達するまで繰り返され、所定の値に達すると、ＭＡＣモジュール４７は移動電話３によってリセットされる。ＭＡＣモジュール４７は、例えば、Ｔ３００タイマーが満了したときに、上位レイヤーによってもリセットされ得る。上記で説明したように、ランダムアクセスプリアンブルの送信（Ｓ７０１）及び／又はランダムアクセス応答の受信（Ｓ７０３）は、選択されたセルにおける信号伝搬問題、同時に通信している複数のユーザー機器、及び／又は選択されたセルにおける輻輳等の様々な理由に起因して失敗する場合がある。
【０１２９】
いずれの場合であっても、連続したランダムアクセス失敗が観測される場合、移動電話３は（自身のＲＲＣモジュール４５及び／又は自身のＭＡＣモジュール４７を用いて）、Ｅ−ＵＴＲＡＮへの後続の送信のために、失敗の詳細に関する報告を生成する。特に、報告は、以下で説明するようなロギング手順によって取得される情報を含む。
【０１３０】
ロギング及び報告手順
上記で説明したように、移動電話３は、基地局によって、連続した通信失敗の問題をロギングし、報告するように構成することができる。したがって、特定の通信の失敗をロギングするための構成された条件が満たされる場合（例えば、ＭＡＣレイヤーがリセットされたとき）、移動電話３は、ネットワークへの後続の報告のために、通信の失敗をロギングする。通信の失敗の報告は、この場合、連続したランダムアクセスの失敗及び／又は連続したＲＲＣ接続要求の失敗の報告を含み、失敗が発生した時点、失敗が発生したロケーション及び／又はこの失敗による影響を受けるセル（例えば、セルのグローバル識別情報を用いる）、セル内の測定信号強度等も特定することが好ましい。この例では、報告は、連続したＲＲＣ接続要求の失敗の数及び／又は成功しなかった関連するランダムアクセス応答の数（例えば、所与のセル内の全てのランダムアクセス応答が成功しなかったことのインジケーション）も含む。
【０１３１】
次に、移動電話３は、ネットワークとのＲＲＣ接続を（同じセル又は異なるセルを介して）確立することができるとき、連続した通信失敗の報告を、ＲＲＣ接続確立手順の一部として、又は例えば、Ｅ−ＵＴＲＡＮが連続した接続確立の失敗を報告することを要求するのに応答した、別の手順の一部としてネットワークに提供する。
【０１３２】
この例では、連続した接続確立の失敗は、基地局５−１によって運用されている「セル１」に関連しているので、移動電話３は、基地局５−２によって運用されている「セル２」を介してＲＲＣ接続を確立することができる可能性が高く、連続した通信の失敗の報告を基地局５−２に提出する。
【０１３３】
以下の説明において、連続した通信の失敗の報告の構成及び提供の可能な実施形態の更なる詳細が与えられる。
【０１３４】
一例では、移動電話３は、セル内で連続した通信の失敗（例えば、連続したＲＲＣ接続要求の失敗）を被る場合、後にネットワークに報告するために、連続した通信の失敗の詳細をロギングする。この例では、ネットワークに送信される報告は以下の情報を含む。
・連続したＲＲＣ接続要求の失敗の数、及び、
・全ての関係するランダムアクセス応答の受信に成功しなかったか否か。
【０１３５】
移動電話３は、移動電話３がＲＲＣ接続を確立することができる基地局５を介したネットワークへの後続の送信のために、ロギングされた情報を記憶する。
【０１３６】
別の例では、移動電話３は、セル内の連続した通信の失敗（例えば、連続したＲＲＣ接続要求の失敗）を被る場合、全ての関係するランダムアクセス応答が成功しなかったことも判断される場合にのみ、連続した通信の失敗の詳細をロギングする。この場合、ネットワークに送信される報告は以下の情報を含む。
・連続したＲＲＣ接続要求の失敗の数。
【０１３７】
換言すれば、この報告は、ＲＲＣ接続要求に関係する全てのランダムアクセス応答が成功しなかったことをネットワークに暗に示す。
【０１３８】
ロギングされた情報は、移動電話による情報の提供、例えば「ＵＥ情報応答」メッセージのために適合された、１つ又は複数の適切にフォーマット設定されたシグナリングメッセージを用いてネットワークに送られる（例えば、図４のステップＳ４１１において送信することができる）ことが好ましい。そのような情報提供は、通信確立失敗時に移動電話３から情報を収集するために、ネットワークにより適切にフォーマット設定された要求に応答して実行することができる。例えば、この要求は、収集される情報がネットワークとのＲＲＣ接続の（後続の）確立に関係するものであっても、移動電話３がＲＲＣアクティブモードで動作している間に（例えば、図４のステップＳ４０１において）ネットワークノード（例えば、基地局５）から移動電話３に送られる「ＵＥ情報要求」メッセージを含むことができる。
【０１３９】
ステップＳ４１１において移動電話３によって送られるシグナリングメッセージは、１つ又は複数の情報要素（ＩＥ）を、例えば、接続確立の失敗を報告するのに適したＩＥブランチ（例えば、「Conn Est Fail Report」ＩＥブランチ）の上に含むことが好ましい。この場合、以下の情報要素のうちの任意のものを用いることができる。
・「Consecutive conn Est Fail」ＩＥ等の、連続した接続確立失敗の発生についてネットワークに通知するための情報要素、
・「Num of Consecutive conn Est Fail」等の、被った連続した接続確立の失敗の数についてネットワークに通知するための情報要素、
・「RAR failure」ＩＥ等の、ランダムアクセス応答の受信の失敗についてネットワークに通知するための情報要素。
【０１４０】
別の例では、ステップＳ４１１において移動電話３によって送られるシグナリングメッセージは、１つ又は複数の情報要素（ＩＥ）を、連続した接続確立の失敗を報告するのに適したＩＥブランチ（例えば、「Consecutive conn Est Fail」ＩＥブランチ）の上に含むことが好ましい。この場合、（上記で言及したＩＥのうちの任意のものの代わりに又はこれに加えて）以下の情報要素のうちの任意のものを用いることができる。
・「failed Cell Id」ＩＥ等の、連続した接続確立の失敗が生じたセルを特定するための情報要素、
・「location Info」ＩＥ等の、移動電話３が報告された連続した接続確立の失敗の問題を被ったときのこの移動電話３のロケーション（例えば、地理的ロケーション）を特定するための情報要素、
・「meas Result Failed Cell」ＩＥ等の、移動電話３が報告された連続した接続確立の失敗の問題を被ったセルに関連付けられた測定結果（例えば、受信基準信号電力レベル）を特定するための情報要素、
・「meas Result Neigh Cells」ＩＥ等の、移動電話３が報告された連続した接続確立の失敗の問題を被ったセル以外の１つ又は複数の近傍セル（例えば、２番目に良好なセル）に関連付けられた測定結果（例えば、受信基準信号電力レベル）を特定するための情報要素、
・「RAR Detected」ＩＥ等のランダムアクセス応答が検出されたか否かをネットワークに通知するための情報要素。
【０１４１】
ＭＡＣレイヤーにおける手順
上記の事象の詳細をロギングすることに加えて、ＭＡＣモジュール４５は、ＭＡＣレイヤーにおいて生じる様々な事象のロギング及び報告も行うことができることが有利である。
【０１４２】
例えば、基地局５からのランダムアクセス応答の受信時に、ＭＡＣモジュール４５が、受信したランダムアクセス応答が、移動電話３の送信したランダムアクセスプリアンブルに合致するランダムアクセスプリアンブルの識別子を含むと判断する場合（これは、基地局５が、送られたランダムアクセスプリアンブルを正しく受信したことを示す）、ＭＡＣモジュール４５は、自身のランダムアクセス応答受信失敗カウンターをリセットすることができる。換言すれば、ＭＡＣモジュール４５は、以前に送られたランダムアクセスプリアンブルの有効なランダムアクセス応答の受信に成功すると、自身のランダムアクセス応答受信失敗カウンターの値を所定の開始値にセットする（例えば、ゼロからカウントアップする場合、RAR_RECEPTION_FAILURE_COUNTER＝０をセットし、許可されるランダムアクセス受信失敗の最大数からカウントダウンする場合、RAR_RECEPTION_FAILURE_COUNTER＝’MAX_Number’をセットする）。
【０１４３】
他方で、ＭＡＣモジュール４５は、ランダムアクセス応答の受信に成功しなかったと判断する場合、自身のランダムアクセス応答受信失敗カウンターを１インクリメントする、例えば、RAR_RECEPTION_FAILURE_COUNTERの値を（例えば、所定の最大値に達するまで）増大させるか、又はカウントダウン型のカウンターが用いられる場合、カウンター値を（例えば、カウンターがゼロに達するまで）１減少させることができることが有利である。このステップは通常、図７のステップＳ７０２に対応する。
【０１４４】
さらに、ＭＡＣモジュール４５は、ＭＡＣレイヤー通信のリセットのロギング及び報告も行うことができる。
【０１４５】
例えば、ＭＡＣモジュール４５のリセットがより高次のレイヤー（例えば、ＲＲＣレイヤー）によって要求される場合、ＭＡＣモジュール４５は、ランダムアクセス応答受信失敗カウンターが所定の閾値、例えば、所定の最大値（カウントアップの場合）又はゼロ（カウントダウンの場合）に達したか否かをチェックすることができる。ＭＡＣモジュール４５は、ランダムアクセス応答受信失敗カウンター（例えば、RAR_RECEPTION_FAILURE_COUNTER）が所定の閾値に達したと判断する場合、連続したランダムアクセス応答の受信の失敗をロギングする（又はＲＲＣモジュール４７にロギングするように通知する）。当然ながら、同様のロギング（又は、上位レイヤーへのインジケーション）は、ランダムアクセス応答受信失敗カウンターが所定の閾値に達したときにＭＡＣレイヤーがリセットされる（例えば、上位レイヤーがそのようなリセットを明示的に要求することなくリセットされる）場合にも行うことができる。
【０１４６】
別の例では、ＭＡＣモジュール４５のリセットが、上位レイヤーによって（例えば、ＲＲＣレイヤーによって）要求され、かつ、進行中のランダムアクセス手順が存在する場合、ＭＡＣモジュール４５は、このランダムアクセス手順における各ランダムアクセス応答受信が（これまで）失敗したか否かをチェックし、上位レイヤーに示すことができる。次に、このインジケーションを、連続した通信の失敗の報告に含めることができる（例えば、この報告は、ステップＳ４１１において、ＲＲＣモジュール４７によって、移動電話３が後続してＲＲＣ接続を確立する基地局５に送られる）。
【０１４７】
別のセルに対する再選択
セル選択モジュール４８は、上記で説明したロギング、及び場合によっては、ネットワークから受信した制御構成を用いて、連続した通信の失敗を被ったセルと異なるセルを選択することができることが有利である。これを行うために、移動電話３によって以下の手順を辿ることができる。
【０１４８】
１つの例では、（例えば、図６のＳ６０６における）Ｔ３００タイムの満了時に、移動電話３は、以下の条件のうちの全てが満たされているか否かをチェックする。
・同じセル内で所与の（例えば、閾値の）数の連続したＲＲＣ接続要求の失敗があった、
・各関係するランダムアクセス応答受信が成功しなかった、
・「０」バックオフインジケーターのみが受信されたか又はバックオフインジケーターが受信されなかった。
【０１４９】
移動電話３は、上記の条件が満たされていることがわかると、次のセル選択手順について、２番目に良好なセルに対するセル再選択が許可されていると判断する。したがって、セル選択モジュール４８は、ＲＲＣ接続を確立するために、２番目に良好なセル（例えば、現在のセルが連続した通信の失敗による影響を受けた後に次に最も強力な信号を有するセル）を選択する。さらに、セル選択モジュール４８は、現在のセルが（少なくとも、ネットワーク又は移動電話３の他のモジュールから更なる構成が受信されるまで）禁止されているとみなす。
【０１５０】
別の例では、ステップＳ６０６におけるＴ３００タイムの満了時に、移動電話３は、以下の条件のうちの全てが満たされているか否かをチェックする。
・同じセル内で所与の（例えば、閾値の）数の連続したＲＲＣ接続要求の失敗があった、
・各関係するランダムアクセス応答受信が成功しなかった、
・２番目に良好なセルに対するセル再選択が許可されている（例えば、受信した各ランダムアクセス応答において「２番目に良好なセルに対するセル再選択」インジケーターが「真」にセットされた）。
【０１５１】
移動電話３は、上記の条件が満たされていることがわかると、２番目に良好なセルに対するセル再選択が許可されていると判断する。したがって、セル選択モジュール４８は、例えば、図４のステップＳ５０４を参照して上記で検討したように、現在のセルが禁止されているとみなし、ＲＲＣ接続を確立するために２番目に良好なセルを選択する。
【０１５２】
変更形態及び代替形態
上記で、詳細な実施形態が説明されてきた。当業者であれば理解するように、上記の実施形態において具現される発明から依然として利益を享受しながら、上記の実施形態に対して複数の変更形態及び代替形態を実施することができる。
【０１５３】
上記の例において、ネットワークは、連続した通信の失敗の問題が、影響を受けるセル内の地理的及び／又は環境的に生じた通信不均衡（不利な信号伝搬条件）によって生じたか否かを判断する。例えば、基地局／Ｅ−ＵＴＲＡＮは、以下の条件が満たされているとき、連続した通信（接続要求）の失敗の原因が、（例えば、輻輳ではなく）報告されたセル内のそのような地理的及び／又は環境的に生じた通信不均衡に起因すると判断することができる。
・セルについて、連続したＲＡ失敗の報告が受信された、
・報告されたセルのＰＲＡＣＨにおいて輻輳が観測されていない、及び
・報告している移動電話のロケーションが、報告されたセルから離れている（例えば、移動電話が、基地局の送受信機から所定の閾値距離よりも離れた距離にある）。
【０１５４】
上記の例において、移動電話は、基地局５−１（ｅＮＢ−１）によって運用される、「セル１」で表されるセル内で、地理的／環境的に生じた通信不均衡によって生じた連続した通信の失敗の問題を被っており、基地局５−２（ｅＮＢ−２）によって運用される「セル２」で表されるセル内ではそのような問題を被っていない。この場合、（図５を参照して既に上記で検討したように）ネットワークノード間で以下の通信を行うことができる。
【０１５５】
オプションＡ：ｅＮＢ−２は、移動電話からｅＮＢ−１／セル１に関係する報告を受信し、この報告を（例えば、これらの間のＸ２インターフェースを介して）ｅＮＢ−１に転送する。この場合、ｅＮＢ−１は、「セル１」において地理的／環境的に生じた通信不均衡が存在するか否かを判断することができる。
【０１５６】
オプションＢ：ＭＤＴサーバーは、ｅＮＢ−１／セル１に関係する報告を受信し、この報告をｅＮＢ−１に転送する。この場合、ｅＮＢ−１は、「セル１」において地理的／環境的に生じた通信不均衡が存在するか否かを判断することができる。
【０１５７】
オプションＣ：ＭＤＴサーバーは、ｅＮＢ−１／セル１に関係する報告を受信し、セル１の輻輳レベルに関する情報（例えば、ｅＮＢ−１からのＰＲＡＣＨロギング報告）も受信する。この場合、ＭＤＴサーバーは、「セル１」において地理的／環境的に生じた通信不均衡が存在するか否かを判断することができる。ＭＤＴサーバーは、「セル１」において地理的／環境的に生じた通信不均衡が存在すると判断する場合、セル１を運用しているｅＮＢ−１に通知することができる。
【０１５８】
上記の実施形態では、移動電話は、ネットワークによる要求時に（例えば、ネットワークエンティティとの適切にフォーマット設定された「ＵＥ情報要求」／「ＵＥ情報応答」シグナリングメッセージに基づく手順等のＭＤＴ手順に従って）、連続した通信の失敗に関する情報を提供する。一方、移動電話は、そのようなネットワーク発信の要求がない場合であってもそのようなインジケーションを提供することができることも理解されよう。例えば、移動電話は、（例えば、移動電話の不揮発性メモリに記憶されている工場／事業者構成に基づいて）連続した通信の失敗に関係するそのような情報をネットワークに自律的に提供することができる。
【０１５９】
連続した通信の失敗に関係する情報を含む、本明細書において説明したシグナリングメッセージは、単純性、実施の容易さの観点から有利であり、必要なメッセージ数を最小限にするが、この情報は、例えば複数のメッセージにおいて、任意の数の異なる方法で送信することができる。さらに、説明したシグナリングメッセージを変更する代わりに、測定結果を含む完全に新しいメッセージを生成することができる。
【０１６０】
上記の実施形態では、連続した通信の失敗という用語は、単一の移動電話が、ネットワークの同じセルへの接続の確立を繰り返し試行する間に被る複数の通信の失敗を指すのに用いられる。一方、この連続した通信の失敗という用語は、移動電話の観点から単一の通信の失敗も指し得ることも理解されよう。この場合、移動電話のうちの幾つか又は全てが１回のみ通信の失敗を被っている場合であっても、同じセルについて複数の移動電話によって一連の通信の失敗が報告される場合がある（このため、ネットワークの観点からは、影響を受けているセルにおいて通信の失敗が連続的に生じている）。
【０１６１】
上記の実施形態では、移動電話ベースの電気通信システムが説明された。当業者であれば理解するように、本出願において説明されるシグナリング技法は、他の通信システムにおいて用いることができる。他の通信ノード又はデバイスは、例えば、携帯情報端末、ラップトップコンピューター、ウェブブラウザー、マシン間（Ｍ２Ｍ）通信デバイス（例えば、遠隔測定デバイス）等のユーザーデバイスを含むことができる。当業者であれば理解するように、上記で説明したシステムが移動通信デバイスのために用いられることは必須ではない。本システムは、移動通信デバイスに加えて又はその代わりに、１つ又は複数の固定したコンピューティングデバイスを有するネットワークにおいて用いることができる。
【０１６２】
上記の説明において、基地局及び移動電話は、理解を容易にするために、複数の別個のモジュールを有するものとして説明されている。これらのモジュールは、幾つかの応用形態の場合、例えば、本発明を実施するために既存のシステムが変更された場合には、このようにして設けることができるが、他の応用形態、例えば、最初から本発明の特徴を念頭に置いて設計されるシステムでは、これらのモジュールはオペレーティングシステム又はコード全体の中に組み込むことができるので、これらのモジュールは別個の実体として区別可能でない場合もある。これらのモジュールは、ソフトウェア、ハードウェア、ファームウェア又はこれらの組み合わせにおいて実施することもできる。上記の実施形態では、移動電話及び基地局は送受信機回路部を備える。通常、この回路部は専用ハードウェア回路によって形成される。しかしながら、幾つかの実施形態では、送受信機回路部の一部を、対応するコントローラーによって実行されるソフトウェアとして実装することができる。
【０１６３】
上記の実施形態では、複数のソフトウェアモジュールが説明された。当業者であれば理解するように、それらのソフトウェアモジュールは、コンパイル済みの形式又は未コンパイルの形式において与えることができ、コンピューターネットワークを介して信号として、又は記録媒体において基地局又は中継局に供給することができる。さらに、このソフトウェアの一部又は全部によって実行される機能は、１つ又は複数の専用のハードウェア回路を用いて実行することもできる。
【０１６４】
種々の他の変更は当業者には明らかであり、ここでは、これ以上詳しくは説明しない。
【０１６５】
本出願は、２０１３年７月２３日に出願された英国特許出願第１３１３１３６．２号を基礎としており、この英国特許出願の優先権の利益を主張する。この英国特許出願の開示は、引用することによりその全体が本明細書の一部をなす。
【図１】
0006311893.tif 000002
【図２】
0006311893.tif 000003
【図３】
0006311893.tif 000004
【図４】
0006311893.tif 000005
【図５】
0006311893.tif 000006
【図６】
0006311893.tif 000007
【図７】
0006311893.tif 000008